(57)【要約】      （修正有）【課題】無線通信システムにおいて複数のコンポーネントキャリア（ＣＣ）上での送受信が可能なモバイル機器が、ＣＣのアクティベーションおよびディアクティベーションをハンドリングする方法を提供する。【解決手段】複数のＣＣのうちのあるＣＣがアクティベートされた時に、コンポーネントキャリアのアクティベーション期間を規定するディアクティベーションタイマを開始する工程と、上記コンポーネントキャリアにおけるＨＡＲＱプロセスを実行する工程と、上記コンポーネントキャリアをディアクティベートする時点で上記ＨＡＲＱプロセスの再送が完了していない場合に、当該コンポーネントキャリアのアクティベーション期間を延長する工程と、を含む。【選択図】図５Ｂ
2011223575.tif 000002
【特許請求の範囲】
【請求項１】
無線通信システムにおいて、複数のコンポーネントキャリアで送受信が可能なモバイル機器がコンポーネントキャリアのアクティベーションおよびディアクティベーションをハンドリングする方法であって、
上記複数のコンポーネントキャリアのうちのあるコンポーネントキャリアがアクティベートされた時に、コンポーネントキャリアのアクティベーション期間を規定するディアクティベーションタイマをスタートさせる工程と、
上記コンポーネントキャリアのハイブリッド自動リピート要求（ＨＡＲＱ）プロセスを実行する実行工程と
上記コンポーネントキャリアをディアクティベートする時点で上記ＨＡＲＱプロセスの再送が完了していない場合に、上記コンポーネントキャリアのアクティベーション期間を延長する延長工程と、を含んでいるハンドリング方法。
【請求項２】
上記実行工程は、上記コンポーネントキャリアでのアップリンク送信に対応するＨＡＲＱフィードバックを受信する工程を含み、
上記延長工程は、上記コンポーネントキャリアをディアクティベートする前に上記ＨＡＲＱプロセスの再送が完了しない場合であって、尚且つ、上記ＨＡＲＱフィードバックを受信した場合に、当該コンポーネントキャリアの延長タイマをリスタートまたはスタートさせる延長タイマ開始工程を含み、
上記コンポーネントキャリアの延長タイマは、上記ディアクティベーションタイマ、または、コンポーネントキャリアのアクティベーション期間を規定するために使用される所定のタイマである、請求項１に記載のハンドリング方法。
【請求項３】
上記ディアクティベーションタイマがスタートまたはリスタートされた時に、上記コンポーネントキャリアの禁止タイマをスタートさせる開始する工程をさらに含み、
上記延長タイマ開始工程は、
上記コンポーネントキャリアをディアクティベートする前に上記ＨＡＲＱプロセスの再送が完了しない場合であって、上記ＨＡＲＱフィードバックが受信され、尚且つ、上記禁止タイマが満了した場合に、当該コンポーネントキャリアのための延長タイマをリスタートまたはスタートさせる工程を含んでいる、請求項２に記載のハンドリング方法。
【請求項４】
上記ディアクティベーションタイマおよび上記延長タイマの少なくともいずれか一方のタイマが満了し、尚且つ／または、無線通信システムのネットワークからコンポーネントキャリアをディアクティベートするための信号を受信した場合に、当該コンポーネントキャリアをディアクティベートする無効化工程と、
（ａ）ディアクティベーションタイマもしくは延長タイマを停止するステップ、
（ｂ）ＨＡＲＱプロセスに対応するＨＡＲＱバッファをフラッシュするステップ、
（ｃ）コンポーネントキャリアにおける物理アップリンク制御チャンネル（ＰＵＣＣＨ）またはＳＲＳ（Sounding Reference Signal）を停止もしくは解放するステップ、
（ｄ）コンポーネントキャリアにおける任意の設定されているダウンリンク割り当ておよびアップリンクグラントをクリアするステップ、
（ｅ）コンポーネントキャリアのＣＱＩ／ＰＭＩ／ＲＩレポーティングを停止するステップ、並びに、
（ｆ）コンポーネントキャリアのＰＤＣＣＨモニタリングを停止するステップのうちの１つ以上のステップを実行する工程と、を含んでいる、請求項２に記載のハンドリング方法。
【請求項５】
上記実行工程は、
コンポーネントキャリアにおいてダウンリンク送信が受信された時に、上記コンポーネントキャリアのためのＨＡＲＱ−ＲＴＴ（ラウンドトリップ時間）タイマを開始する工程であって、上記ＨＡＲＱプロセスの再送が、上記ＨＡＲＱ−ＲＴＴタイマの持続期間中に受信されない工程を含み、
上記延長工程は、
上記コンポーネントキャリアをディアクティベートする前に上記ＨＡＲＱプロセスの再送が完了しない場合であって、尚且つ、上記ＨＡＲＱ−ＲＴＴタイマが満了した場合に、上記ディアクティベーションタイマまたはコンポーネントキャリアのアクティベーション期間を規定する特定のタイマである、当該コンポーネントキャリアの延長タイマをリスタートまたはスタートさせる第１の延長工程、または、
上記ディアクティベーションタイマの満了前に上記ＨＡＲＱプロセスの再送が完了しなかった場合であって、尚且つ、上記ＨＡＲＱ−ＲＴＴタイマが開始された場合に、上記ディアクティベーションタイマまたはコンポーネントキャリアのアクティベーション期間を規定する特定のタイマである、当該コンポーネントキャリアの延長タイマをリスタートまたはスタートさせる第２の延長工程を含んでいる、請求項１に記載のハンドリング方法。
【請求項６】
上記ディアクティベーションタイマおよび上記延長タイマのうち少なくともいずれかのタイマが満了し、尚且つ／または、上記無線通信システムのネットワークからコンポーネントキャリアをディアクティベートするための信号を受信した場合に、上記コンポーネントキャリアをディアクティベートする工程と、
（ａ）上記ディアクティベーションタイマもしくは上記延長タイマを停止するステップ、
（ｂ）上記ＨＡＲＱプロセスに対応するＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）コンポーネントキャリアにおける任意の設定されているダウンリンク割り当ておよびアップリンクグラントをクリアするステップ、
（ｅ）コンポーネントキャリアのＣＱＩ／ＰＭＩ／ＲＩレポーティングを停止するステップ、並びに、
（ｆ）コンポーネントキャリアのＰＤＣＣＨモニタリングを停止するステップのうち、１つ以上のステップを実行する工程と、をさらに含んでいる、請求項５に記載のハンドリング方法。
【請求項７】
上記ディアクティベーションタイマがスタートまたはリスタートされた時に、上記コンポーネントキャリアの禁止タイマをスタートさせる工程をさらに含み、
上記第１の延長工程が、
上記コンポーネントキャリアをディアクティベートする前に上記ＨＡＲＱプロセスの再送が完了しない場合であって、上記ＨＡＲＱ−ＲＴＴタイマが満了し、尚且つ、上記禁止タイマが満了した場合に、上記コンポーネントキャリアの上記延長タイマをリスタートまたはスタートさせる工程を含んでいるか、
上記第２の延長工程が、
上記コンポーネントキャリアをディアクティベートする前に上記ＨＡＲＱプロセスが完了しない場合であって、上記ＨＡＲＱ−ＲＴＴタイマが開始され、尚且つ、上記禁止タイマが満了した場合に、上記コンポーネントキャリアの上記延長タイマをリスタートまたはスタートさせる工程を含んでいる、請求項５に記載のハンドリング方法。
【請求項８】
無線通信システムにおいて、複数のコンポーネントキャリアで送受信が可能なモバイル機器がコンポーネントキャリアのアクティベーションおよびディアクティベーションをハンドリングする方法であって、
上記複数のコンポーネントキャリアのうちのアクティベートされたあるコンポーネントキャリアにおけるハイブリッド自動リピート要求（ＨＡＲＱ）プロセスを実行する工程と、
上記コンポーネントキャリアをディアクティベートする前に上記ＨＡＲＱプロセスの再送が完了しなかった場合には、次に当該コンポーネントキャリアがアクティベートされた時に、上記ＨＡＲＱプロセスの再送を再開する再開工程と、を含むハンドリング方法。
【請求項９】
請求項８に記載のハンドリング方法において、
上記コンポーネントキャリアがディアクティベートされた時に、有効タイマを開始する有効タイマ開始工程をさらに含み、
上記再開工程は、
上記コンポーネントキャリアをディアクティベートする前に上記ＨＡＲＱプロセスの再送が完了しなかった場合には、上記有効タイマの持続期間中に次に当該コンポーネントキャリアがアクティベートされた時に、上記ＨＡＲＱプロセスの再送を再開する、請求項８に記載のハンドリング方法。
【請求項１０】
コンポーネントキャリアのアクティベーション期間を規定するディアクティベーションタイマが満了し、尚且つ／または、上記無線通信システムのネットワークからコンポーネントキャリアをディアクティベートするための信号を受信した場合に、上記コンポーネントキャリアをディアクティベートする工程と、
（ａ）上記ディアクティベーションタイマを停止するステップ、
（ｂ）上記ＨＡＲＱプロセスに対応するＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップのうち、１つ以上のステップを実行する実行工程と、をさらに含む、請求項８に記載のハンドリング方法。
【請求項１１】
複数のコンポーネントキャリアで送受信が可能なモバイル機器を含む無線通信システム内のネットワークが、コンポーネントキャリアのアクティベーションおよびディアクティベーションをハンドリングする方法であって、
上記複数のコンポーネントキャリアのうちのアクティベートされたあるコンポーネントキャリアにおけるハイブリッド自動リピート要求（ＨＡＲＱ）プロセスを実行する工程と、
上記コンポーネントキャリアをディアクティベートする前に上記ＨＡＲＱプロセスの再送が完了しなかった場合には、次に当該コンポーネントキャリアがアクティベートされた時に、上記ＨＡＲＱプロセスの再送を再開する再開工程と、を含むハンドリング方法。
【請求項１２】
上記再開工程は、上記コンポーネントキャリアをディアクティベートする前に上記ＨＡＲＱプロセスの再送が完了しなかった場合には、当該コンポーネントキャリアがディアクティベートされた時に開始された有効タイマの持続期間中に次に当該コンポーネントキャリアがアクティベートされた時に、上記ＨＡＲＱプロセスの再送を再開する、請求項１１に記載のハンドリング方法。
【請求項１３】
コンポーネントキャリアをディアクティベートする信号を上記モバイル機器へ送信する工程と、
（ａ）上記ＨＡＲＱプロセスに対応するＨＡＲＱバッファをフラッシュするステップ、
（ｂ）上記コンポーネントキャリアにおける物理アップリンク制御チャンネル（ＰＵＣＣＨ）もしくはＳＲＳ（Sounding Reference Signal）を停止もしくは解放するステップ、
（ｃ）上記コンポーネントキャリアにおける任意の設定されているダウンリンク割り当ておよびアップリンクグラントをクリアするステップ、
（ｄ）上記コンポーネントキャリアのＣＱＩ／ＰＭＩ／ＲＩレポーティングを停止するステップ、並びに、
（ｅ）上記コンポーネントキャリアのＰＤＣＣＨモニタリングを停止するステップのうち、１つ以上のステップを実行する工程と、をさらに含んでいる請求項１１に記載のハンドリング方法。
【請求項１４】
無線通信システムにおいて、複数のコンポーネントキャリアで送受信が可能なモバイル機器が、コンポーネントキャリアのアクティベーションおよびディアクティベーションをハンドリングする方法であって、
上記複数のコンポーネントキャリアのうちのあるコンポーネントキャリアがアクティベートされた時に、コンポーネントキャリアのアクティベーション期間を規定するディアクティベーションタイマをスタートさせる工程と、
スケジューリング要求（ＳＲ）手順を開始する工程と、
上記コンポーネントキャリアをディアクティベートする時点で、上記ＳＲ手順に対応するアップリンクリソースを受信していない場合に、当該コンポーネントキャリアのアクティベーション期間を延長する延長工程と、を含んでいる、ハンドリング方法。
【請求項１５】
上記延長工程は、上記コンポーネントキャリアをディアクティベートする前に上記ＳＲ手順に対応するアップリンクリソースを受信しなかった場合に、当該コンポーネントキャリアの延長タイマをリスタートまたはスタートさせる開始工程を含み、
上記コンポーネントキャリアの上記延長タイマは、ディアクティベーションタイマまたはコンポーネントキャリアのアクティベーション期間を規定するために用いられる特定のタイマである、請求項１４に記載のハンドリング方法。
【請求項１６】
上記ディアクティベーションタイマおよび上記延長タイマの少なくとも一方のタイマが満了し、尚且つ／または、上記無線通信システムのネットワークからコンポーネントキャリアをディアクティベートするための信号を受信した場合に、当該コンポーネントキャリアをディアクティベートする工程と、
（ａ）上記ディアクティベーションタイマもしくは上記延長タイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップのうち、１つ以上のステップを実行する工程と、をさらに含んでいる請求項１５に記載のハンドリング方法。
【請求項１７】
上記ディアクティベーションタイマがスタートまたはリスタートされた時に、上記コンポーネントキャリアの禁止タイマをスタートさせる工程をさらに含み、
上記開始工程は、上記コンポーネントキャリアをディアクティベートする前に上記ＳＲ手順に対応するアップリンクリソースを受信していない場合であって、尚且つ、上記禁止タイマが満了した場合に、上記コンポーネントキャリアの上記延長タイマをリスタートまたはスタートさせる工程を含んでいる、請求項１５に記載のハンドリング方法。
【請求項１８】
無線通信システムにおいて、複数のコンポーネントキャリアで送受信が可能なモバイル機器が、コンポーネントキャリアのアクティベーションおよびディアクティベーションをハンドリングする方法であって、
上記複数のコンポーネントキャリアのうちのあるコンポーネントキャリアがアクティベートされた時に、コンポーネントキャリアのアクティベーション期間を規定するディアクティベーションタイマを開始する工程と、
上記コンポーネントキャリアにおける間欠受信（ＤＲＸ）動作を実行する工程と、
上記ＤＲＸ動作のＤＲＸサイクルにおけるＤＲＸアクティブ期間中に、上記コンポーネントキャリアがディアクティベートされることが予定される場合に、当該コンポーネントキャリアのアクティベーション期間を延長する延長工程と、を含むハンドリング方法。
【請求項１９】
上記ＤＲＸ動作の上記ＤＲＸサイクルにおける上記ＤＲＸアクティブ期間中に上記コンポーネントキャリアがディアクティベートされることが予定される場合に、上記ＤＲＸアクティブ期間後に当該コンポーネントキャリアをディアクティベートする工程をさらに含んでいる請求項１８に記載のハンドリング方法。
【請求項２０】
上記延長工程は、上記ＤＲＸ動作の上記ＤＲＸサイクルにおける上記ＤＲＸアクティブ期間中に上記コンポーネントキャリアがディアクティベートされることが予定される場合に、上記ＤＲＸアクティブ期間の終わりまで当該コンポーネントキャリアのアクティベーション期間を延長する工程を含んでいる、請求項１８に記載のハンドリング方法。
【請求項２１】
無線通信システムにおいて、複数のコンポーネントキャリアで送受信が可能なモバイル機器が、コンポーネントキャリアのアクティベーションおよびディアクティベーションをハンドリングする方法であって、
上記複数のコンポーネントキャリアのうちのあるコンポーネントキャリアがアクティベートされた時に、当該コンポーネントキャリアのディアクティベーションタイマを開始する開始工程と、
ランダムアクセス手順を実行する工程と、
上記コンポーネントキャリアをディアクティベートする時点で上記ランダムアクセス手順が完了していない場合に、当該コンポーネントキャリアのアクティベーション期間を延長する延長工程と、を含んでいる、ハンドリング方法。
【請求項２２】
請求項２１に記載のハンドリング方法において、
上記ランダムアクセス手順は、コンテンション型のランダムアクセス手順または非コンテンション型のランダムアクセス手順であり、
上記延長工程は、上記コンポーネントキャリアをディアクティベートする前にコンテンション解決メッセージが受信されなかった場合、または、上記コンポーネントキャリアをディアクティベートする前にランダムアクセス応答メッセージが受信されなかった場合に、当該コンポーネントキャリアのアクティベーション期間を延長する工程を含んでいる、請求項２１に記載のハンドリング方法。
【請求項２３】
上記延長工程は、
上記コンポーネントキャリアをディアクティベートする前にコンテンション型のランダムアクセス手順のコンテンション解決メッセージが受信されなかった場合には、スケジュール送信メッセージが送信された後に当該コンポーネントキャリアの延長タイマをリスタートまたはスタートさせる工程、または、
上記コンポーネントキャリアをディアクティベートする前にランダムアクセス応答メッセージが受信されなかった場合には、当該コンポーネントキャリアの延長タイマを再開または開始する工程を含み、
上記延長タイマは、上記ディアクティベーションタイマまたはコンポーネントキャリアのアクティベーション期間を規定する特定のタイマである、請求項２２に記載のハンドリング方法。
【請求項２４】
ディアクティベーションタイマおよび延長タイマの少なくとも一方のタイマが満了し、尚且つ／または、上記無線通信システムのネットワークからコンポーネントキャリアをディアクティベートするための信号を受信した場合に、当該コンポーネントキャリアをディアクティベートする工程と、
（ａ）上記ディアクティベーションタイマもしくは上記延長タイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップのうち、１つ以上のステップを実行する工程と、をさらに含んでいる、請求項２３に記載のハンドリング方法。
【請求項２５】
無線通信システムにおいて、複数のコンポーネントキャリアで送受信が可能なモバイル機器が、コンポーネントキャリアのアクティベーションおよびディアクティベーションをハンドリングする方法であって、
上記複数のコンポーネントキャリアのうちのあるコンポーネントキャリアがアクティベートされた時に、コンポーネントキャリアのアクティベーション期間を規定するディアクティベーションタイマを開始する開始工程と、
上記複数のコンポーネントキャリアのうちの第１のコンポーネントキャリアに設定される物理ダウンリンク制御チャンネル（ＰＤＣＣＨ）割り当てを、上記あるコンポーネントキャリアから受信する受信工程と、
上記あるコンポーネントキャリアがディアクティベートされることが予定される場合に、上記第１のコンポーネントキャリアのＰＤＣＣＨ割り当てを受信するために、上記あるコンポーネントキャリアのアクティベーション期間を延長する延長工程と、を含んでいる、ハンドリング方法。
【請求項２６】
前記延長工程は、
上記あるコンポーネントキャリアがディアクティベートされることが予定される場合に上記第１のコンポーネントキャリアのＰＤＣＣＨ割り当てを受信するために、上記第１のコンポーネントキャリアがアクティベートされている間、上記あるコンポーネントキャリアのアクティベーション状態を維持する第１の延長工程、
上記第１のコンポーネントキャリアの第１のディアクティベーションタイマがスタートまたはリスタートされた場合であって、尚且つ、上記あるコンポーネントキャリアがディアクティベートされることが予定される場合に、上記ディアクティベーションタイマをスタートまたはリスタートさせる第２の延長工程、または、
上記第１のコンポーネントキャリアの第１の延長タイマがスタートまたはリスタートされた場合であって、尚且つ、上記あるコンポーネントキャリアがディアクティベートされることが予定される場合に、上記あるコンポーネントキャリアのアクティベーション期間を規定する特定のタイマである延長タイマをスタートまたはリスタートさせる第３の延長工程、を含んでいる、請求項２５に記載のハンドリング方法。
【請求項２７】
上記ディアクティベーションタイマがスタートまたはリスタートされた時に当該コンポーネントキャリアの禁止タイマを開始する工程をさらに含み、
上記第２の延長工程が、上記第１のコンポーネントキャリアの上記第１のディアクティベーションタイマがスタートまたはリスタートされた場合であって、尚且つ、上記禁止タイマが満了した場合に、上記ディアクティベーションタイマをスタートまたはリスタートさせる工程を含んでいるか、
上記第３の延長工程が、上記第１のコンポーネントキャリアの上記第１の延長タイマがスタートまたはリスタートされた場合であって、尚且つ、上記禁止タイマが満了した場合に、上記延長タイマをスタートまたはリスタートさせる工程を含んでいる、請求項２６に記載のハンドリング方法。
【請求項２８】
上記ディアクティベーションタイマおよび上記延長タイマのうち少なくともいずれかのタイマが満了し、尚且つ／または、上記無線通信システムのネットワークからコンポーネントキャリアをディアクティベートするための信号が受信された場合に、当該コンポーネントキャリアをディアクティベートする工程と、
（ａ）上記ディアクティベーションタイマもしくは上記延長タイマを停止するステップ、
（ｂ）上記あるコンポーネントキャリアのためのＨＡＲＱバッファをフラッシュするステップ、
（ｃ）上記あるコンポーネントキャリアにおける物理アップリンク制御チャンネル（ＰＵＣＣＨ）もしくはＳＲＳ（Sounding Reference Signal）を停止もしくは解放するステップ、
（ｄ）上記あるコンポーネントキャリアにおける任意の設定されているダウンリンク割り当ておよびアップリンクグラントをクリアするステップ、
（ｅ）上記あるコンポーネントキャリアのＣＱＩ／ＰＭＩ／ＲＩレポーティングを停止するステップ、並びに、
（ｆ）上記あるコンポーネントキャリアのＰＤＣＣＨモニタリングを停止するステップのうち、１つ以上のステップを実行する工程を含んでいる、請求項２６に記載のハンドリング方法。
【請求項２９】
無線通信システムにおいて、複数のコンポーネントキャリアで送受信が可能なモバイル機器が、コンポーネントキャリアのアクティベーションおよびディアクティベーションをハンドリングする方法であって、
上記複数のコンポーネントキャリアのうちのあるコンポーネントキャリアがアクティベートされた時に、コンポーネントキャリアのアクティブ期間を規定するディアクティベーションタイマを開始する開始工程と、
上記コンポーネントキャリアにおける物理ダウンリンク共有チャンネル（ＰＤＳＣＨ）または物理ダウンリンク制御チャンネル（ＰＤＣＣＨ）を受信する受信工程と、
上記コンポーネントキャリアをディアクティベートする時点で上記ＰＤＣＣＨまたは上記ＰＤＳＣＨの割り当て（assignment）に対応する次の送信が完了していない場合に、当該コンポーネントキャリアのアクティベーション期間を延長する延長工程と、を含んでいるハンドリング方法。
【請求項３０】
上記延長工程は、上記コンポーネントキャリアにおけるＰＤＳＣＨまたはＰＤＣＣＨを受信した場合、または、上記コンポーネントキャリアをディアクティベートする前に上記ＰＤＣＣＨまたは上記ＰＤＳＣＨの割り当てに対応する次の送信が完了しなかった場合に、当該コンポーネントキャリアの延長タイマをリスタートまたはスタートさせる工程を含んでおり、
上記延長タイマは、上記ディアクティベーションタイマまたはコンポーネントキャリアのアクティベーション期間を規定する特定のタイマである、請求項２９に記載のハンドリング方法。
【請求項３１】
上記ディアクティベーションタイマおよび上記延長タイマの少なくとも一方のタイマが満了し、尚且つ／または、上記無線通信システムのネットワークからコンポーネントキャリアをディアクティベートするための信号が受信された場合に、当該コンポーネントキャリアをディアクティベートする工程と、
（ａ）上記ディアクティベーションタイマもしくは第１のタイマを停止するステップ、
（ｂ）コンポーネントキャリアのためのＨＡＲＱバッファをフラッシュするステップ、
（ｃ）コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＱＩ／ＰＭＩ／ＲＩレポーティングを停止するステップ、並びに、
（ｆ）上記コンポーネントキャリアのＰＤＣＣＨモニタリングを停止するステップ、のうちの１以上のステップを実行する工程と、をさらに含んでいる、請求項３０に記載のハンドリング方法。
【請求項３２】
ディアクティベーションタイマがスタートまたはリスタートされた時に上記コンポーネントキャリアの禁止タイマをスタートさせる工程をさらに含み、
上記延長工程は、上記コンポーネントキャリアにおける物理ダウンリンク供給チャンネル（ＰＤＳＣＨ）または物理ダウンリンク制御チャンネル（ＰＤＣＣＨ）を受信し、尚且つ、上記禁止タイマが満了した場合と、上記コンポーネントキャリアをディアクティベートする前に上記ＰＤＣＣＨまたは上記ＰＤＳＣＨの割り当てに対応する次の送信が完了せず、尚且つ、上記禁止タイマが満了した場合とのいずれかの場合に、上記コンポーネントキャリアの延長タイマをリスタートまたはスタートさせる工程を含んでいる、請求項３０に記載のハンドリング方法。
【請求項３３】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
上記コンポーネントキャリアにおけるハイブリッド自動リピート要求（ＨＡＲＱ）プロセスを実行する実行手段と、
上記コンポーネントキャリアをディアクティベートする時点で上記ＨＡＲＱプロセスの再送が完了しなかった場合に、当該コンポーネントキャリアのアクティベーション期間を延長する延長手段と、を備えるモバイル機器。
【請求項３４】
上記実行手段は、上記コンポーネントキャリアにおけるアップリンク送信に対応するＨＡＲＱフィードバックを受信する受信手段を備え、
上記延長手段は、上記コンポーネントキャリアをディアクティベートする前に上記ＨＡＲＱプロセスの再送が完了しない場合であって、尚且つ、上記ＨＡＲＱフィードバックが受信された場合に、当該コンポーネントキャリアの延長タイマをリスタートまたはスタートさせる手段を備えており、
上記延長タイマは、上記ディアクティベーションタイマまたはコンポーネントキャリアのアクティベーション期間を規定するために使用される特定のタイマである、請求項３３に記載のモバイル機器。
【請求項３５】
上記ディアクティベーションタイマがスタートまたはリスタートされた時に、上記コンポーネントキャリアの禁止タイマを開始する手段をさらに備え、
上記延長手段は、上記コンポーネントキャリアをディアクティベートする前に上記ＨＡＲＱプロセスの再送が完了しない場合であって、尚且つ、上記禁止タイマが満了した場合に、当該コンポーネントキャリアの延長タイマをリスタートまたはスタートさせる、請求項３４に記載のモバイル機器。
【請求項３６】
上記ディアクティベーションタイマおよび上記延長タイマの少なくともいずれかのタイマが満了し、尚且つ／または、上記無線通信システムのネットワークからコンポーネントキャリアをディアクティベートするための信号が受信された場合に、上記コンポーネントキャリアをディアクティベートする手段と、
（ａ）上記ディアクティベーションタイマもしくは上記延長タイマを停止するステップ、
（ｂ）上記ＨＡＲＱプロセスに対応するＨＡＲＱバッファをフラッシュするステップ、
（ｃ）上記コンポーネントキャリアにおける物理アップリンク制御チャンネル（ＰＵＣＣＨ）またはＳＲＳ（Sounding Reference Signal）を停止もしくは解放するステップ、
（ｄ）上記コンポーネントキャリアにおけるいくつかのダウンリンク割り当ておよびアップリンクグラントをクリアするステップ、並びに、
（ｅ）上記コンポーネントキャリアのＣＱＩ／ＰＭＩ／ＲＩレポーティングを停止するステップのうち、１つ以上のステップを実行する手段と、をさらに備える請求項３４に記載のモバイル機器。
【請求項３７】
上記実行手段は、上記コンポーネントキャリアにおいてダウンリンク送信が受信された時に、当該コンポーネントキャリアのためのＨＡＲＱ−ＲＴＴ（ラウンドトリップ時間）タイマを開始する手段を備え、
上記ＨＡＲＱプロセスの再送は、上記ＨＡＲＱ−ＲＴＴタイマの期間中に受信されず、
上記延長手段は、
上記コンポーネントキャリアをディアクティベートする前に上記ＨＡＲＱプロセスの再送が完了していない場合であって、尚且つ、上記ＨＡＲＱ−ＲＴＴタイマが満了した場合に、当該コンポーネントキャリアの延長タイマをリスタートまたはスタートさせる第１の延長手段、または、
上記ディアクティベーションタイマの満了前に上記ＨＡＲＱプロセスの再送が完了していない場合であって、尚且つ、上記ＨＡＲＱ−ＲＴＴタイマがスタートした場合に、当該コンポーネントキャリアの延長タイマをリスタートまたはスタートさせる第２の延長手段を備えており、
上記延長タイマは、上記ディアクティベーションタイマまたはコンポーネントキャリアのアクティベーション期間を規定する特定のタイマである、請求項３３に記載のモバイル機器。
【請求項３８】
上記ディアクティベーションタイマおよび上記延長タイマの少なくとも一方のタイマが満了し、尚且つ／または、上記無線通信システムのネットワークからコンポーネントキャリアをディアクティベートするための信号が受信された場合に、当該コンポーネントキャリアをディアクティベートする手段と、
（ａ）上記ディアクティベーションタイマもしくは上記延長タイマを停止するステップ、
（ｂ）上記ＨＡＲＱプロセスに対応するＨＡＲＱバッファをフラッシュするステップ、
（ｃ）上記コンポーネントキャリアにおける物理アップリンク制御チャンネル（ＰＵＣＣＨ）またはＳＲＳ（Sounding Reference Signal）を停止もしくは解放するステップ、
（ｄ）コンポーネントキャリアにおける任意の設定されているダウンリンク割り当ておよびアップリンクグラントをクリアするステップ、
（ｅ）コンポーネントキャリアのＣＱＩ／ＰＭＩ／ＲＩレポーティングを停止するステップ、並びに、
（ｆ）コンポーネントキャリアのＰＤＣＣＨモニタリングを停止するステップのうちの１つ以上のステップを実行する手段と、をさらに備えている請求項３７に記載のモバイル機器。
【請求項３９】
上記ディアクティベーションタイマがスタートまたはリスタートされた時に、当該コンポーネントキャリアの禁止タイマをスタートさせる手段をさらに備え、
上記第１の延長手段が、上記コンポーネントキャリアをディアクティベートする前に上記ＨＡＲＱプロセスの再送が完了していない場合であって、上記ＨＡＲＱ−ＲＴＴタイマが満了し、尚且つ、上記禁止タイマが満了した場合に、当該コンポーネントキャリアの上記延長タイマをリスタートまたはスタート手段を備えているか、
上記第２の延長手段が、上記コンポーネントキャリアをディアクティベートする前に上記ＨＡＲＱプロセスの再送が完了していない場合であって、上記ＨＡＲＱ−ＲＴＴタイマがスタートし、尚且つ、上記禁止タイマが満了した場合に、当該コンポーネントキャリアの延長タイマをリスタートまたはスタートさせる手段を備えている、請求項３７に記載のモバイル機器。
【請求項４０】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのアクティベートされたコンポーネントキャリアにおけるハイブリッド自動リピート要求（ＨＡＲＱ）プロセスを実行する実行手段と、
上記コンポーネントキャリアをディアクティベートする前に上記ＨＡＲＱプロセスの再送が完了しなかった場合、次に当該コンポーネントキャリアがアクティベートされた時点で上記ＨＡＲＱプロセスの再送を再開する再開手段と、を備えるモバイル機器。
【請求項４１】
上記コンポーネントキャリアがディアクティベートされた時に有効タイマを開始する手段をさらに備え、
上記再開手段は、上記コンポーネントキャリアをディアクティベートする前に上記ＨＡＲＱプロセスの再送が完了しなかった場合に上記有効タイマの持続期間中に次にコンポーネントキャリアがアクティベートされた時点で上記ＨＡＲＱプロセスの再送を再開する手段を備えている、請求項４０に記載のモバイル機器。
【請求項４２】
コンポーネントキャリアのアクティベーション期間を規定するディアクティベーションタイマが満了し、尚且つ／または、上記無線通信システムのネットワークからコンポーネントキャリアのディアクティベーションのための信号が受信された場合に、上記コンポーネントキャリアをディアクティベートする手段と、
（ａ）ディアクティベーションタイマを停止するステップ、
（ｂ）ＨＡＲＱプロセスに対応するＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップ、のうちの１つ以上のステップを実行する請求項４０に記載のモバイル機器。
【請求項４３】
コンポーネントキャリアのアクティベーションおよびディアクティベーションをハンドリングするための無線通信システムのネットワークであるとともに、複数のコンポーネントキャリアで送受信が可能なモバイル機器を備える前記無線通信システムのネットワークであって、
上記複数のコンポーネントキャリアのうちのアクティベートされたコンポーネントキャリアにおけるハイブリッド自動リピート要求（ＨＡＲＱ）プロセスを実行する実行手段と、
上記コンポーネントキャリアをディアクティベートする前に上記ＨＡＲＱプロセスの再送が完了しなかった場合に、次に当該コンポーネントキャリアがアクティベートされた時点で、上記ＨＡＲＱプロセスの再送を再開する再開手段と、を備えるネットワーク。
【請求項４４】
上記再開手段は、上記コンポーネントキャリアをディアクティベートする前に上記ＨＡＲＱプロセスの再送が完了しなかった場合に、有効タイマの持続期間中に次に当該コンポーネントキャリアがアクティベートされた時点で上記ＨＡＲＱプロセスの再送を再開する手段を備えており、
上記有効タイマは、上記コンポーネントキャリアがディアクティベートされた時点でスタートするタイマである、請求項４３に記載のネットワーク。
【請求項４５】
コンポーネントキャリアをディアクティベートするための信号を上記モバイル機器へ送信する手段と、
（ａ）上記ＨＡＲＱプロセスに対応するＨＡＲＱバッファをフラッシュするステップ、
（ｂ）上記コンポーネントキャリアにおける物理アップリンク制御チャンネル（ＰＵＣＣＨ）もしくはＳＲＳ（Sounding Reference Signal）を停止もしくは解放するステップ、
（ｃ）上記コンポーネントキャリアにおける任意の設定されているダウンリンク割り当ておよびアップリンクグラントをクリアするステップ、
（ｄ）上記コンポーネントキャリアのＱＩ／ＰＭＩ／ＲＩレポーティングを停止するステップ、並びに、
（ｅ）上記コンポーネントキャリアのＰＤＣＣＨモニタリングを停止するステップのうちの１つ以上のステップを実行する手段と、を備えている請求項４３に記載のネットワーク。
【請求項４６】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
スケジューリング要求（ＳＲ）手順を開始する手段と、
上記コンポーネントキャリアをディアクティベートする時点で上記ＳＲ手順に対応するアップリンクリソースを受信していない場合に、当該コンポーネントキャリアのアクティベーション期間を延長する延長手段と、を備えるモバイル機器。
【請求項４７】
上記延長手段は、上記コンポーネントキャリアをディアクティベートする前に上記ＳＲ手順に対応する上記アップリンクリソースが受信されなかった場合に、当該コンポーネントキャリアの延長タイマをリスタートまたはスタートさせる第１の延長手段を備えており、
上記延長タイマは、上記ディアクティベーションタイマまたはコンポーネントキャリアのアクティベーション期間を規定するために使用される特定のタイマである、請求項４６に記載のモバイル機器。
【請求項４８】
上記ディアクティベーションタイマおよび上記延長タイマの少なくとも一方のタイマが満了し、尚且つ／または、上記無線通信システムのネットワークからコンポーネントキャリアをディアクティベートするための信号が受信された場合に、上記コンポーネントキャリアをディアクティベートする手段と、
（ａ）上記ディアクティベーションタイマもしくは上記延長タイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、並びに、
（ｅ）上記コンポーネントキャリアのＣＱＩ／ＰＭＩ／ＲＩレポーティングを停止するステップのうちの１つ以上のステップを実行する手段と、をさらに備える請求項４７に記載のモバイル機器。
【請求項４９】
上記ディアクティベーションタイマがスタートまたはリスタートされた時に、上記コンポーネントキャリアの禁止タイマをスタートさせる手段をさらに備え、
上記第１の延長手段は、上記コンポーネントキャリアをディアクティベートする前に、上記ＳＲ手順に対応する上記アップリンクリソースが受信されない場合であって、尚且つ、上記禁止タイマが満了した場合に、当該コンポーネントキャリアの延長タイマをリスタートまたはスタートさせる手段を備えている、請求項４７に記載のモバイル機器。
【請求項５０】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
上記コンポーネントキャリアにおける間欠受信（ＤＲＸ）動作を実行する手段と、
上記ＤＲＸ動作のＤＲＸサイクルにおけるＤＲＸアクティブ期間中に上記コンポーネントキャリアがディアクティベートされることが予定される場合に、当該コンポーネントキャリアのアクティベーション期間を延長する延長手段と、を備えるモバイル機器。
【請求項５１】
上記ＤＲＸ動作の上記ＤＲＸサイクルにおける上記ＤＲＸアクティブ期間中に当該コンポーネントキャリアがディアクティベートされることが予定される場合に、上記ＤＲＸアクティブ期間後に当該コンポーネントキャリアをディアクティベートする手段をさらに備える請求項５０に記載のモバイル機器。
【請求項５２】
上記延長手段は、上記ＤＲＸ動作の上記ＤＲＸサイクルにおける上記ＤＲＸアクティブ期間中に上記コンポーネントキャリアがディアクティベートされることが予定される場合に、上記コンポーネントキャリアのアクティベーション期間を上記ＤＲＸアクティブ期間の終わりまで延長する手段を備えている、請求項５０に記載のモバイル機器。
【請求項５３】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
ランダムアクセス手順を実行する手段と、
上記コンポーネントキャリアをディアクティベートする時点で上記ランダムアクセス手順が完了していない場合に、当該コンポーネントキャリアのアクティベーション期間を延長する延長手段と、を備えるモバイル機器。
【請求項５４】
上記ランダムアクセス手順は、コンテンション型のランダムアクセス手順または非コンテンション型のランダムアクセス手順であり、
上記延長手段は、上記コンポーネントキャリアをディアクティベートする時点でコンテンション解決メッセージを受信していない場合、または、上記コンポーネントキャリアをディアクティベートする時点でランダムアクセス応答メッセージを受信していない場合に、当該コンポーネントキャリアのアクティベーション期間を延長する第１の延長手段を備えている、請求項５３に記載のモバイル機器。
【請求項５５】
上記第１の延長手段は、上記コンポーネントキャリアをディアクティベートする前に上記コンテンション型のランダムアクセス手順の上記コンテンション解決メッセージを受信しなかった場合に、スケジュール送信メッセージが送信された後に上記コンポーネントキャリアの延長タイマをリスタートまたはスタートさせる手段、または、
上記コンポーネントキャリアをディアクティベートする前に上記ランダムアクセス応答メッセージを受信しなかった場合に当該コンポーネントキャリアの延長タイマをリスタートまたはスタートさせる手段を備え、
上記延長タイマは、上記ディアクティベーションタイマまたはコンポーネントキャリアのアクティベーション期間を規定する特定のタイマである、請求項５４に記載のモバイル機器。
【請求項５６】
ディアクティベーションタイマおよび延長タイマの少なくとも一方のタイマが満了し、尚且つ／または、上記無線通信システムのネットワークからコンポーネントキャリアをディアクティベートするための信号が受信された場合に、当該コンポーネントキャリアをディアクティベートする手段と、
（ａ）上記ディアクティベーションタイマもしくは上記延長タイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのためのＰＤＣＣＨモニタリングを停止するステップのうちの１つ以上のステップを実行する手段と、を備えている請求項５５に記載のモバイル機器。
【請求項５７】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
上記複数のコンポーネントキャリアのうちの第１のコンポーネントキャリアに設定される物理ダウンリンク制御チャンネル（ＰＤＣＣＨ）割り当てをコンポーネントキャリアから受信する受信手段と、
上記あるコンポーネントキャリアがディアクティベートされることが予定された時に、第１のコンポーネントキャリアの上記ＰＤＣＣＨ割り当てを受信するために上記あるコンポーネントキャリアのアクティベーション期間を延長する延長手段と、を備えるモバイル機器。
【請求項５８】
上記延長手段は、上記第１のコンポーネントキャリアがアクティベートされている間、上記あるコンポーネントキャリアがディアクティベートされることが予定される場合に上記第１のコンポーネントキャリアのＰＤＣＣＨ割り当てを受信するために、上記あるコンポーネントキャリアのアクティベーションを維持する第１の延長手段、
上記第１のコンポーネントキャリアの第１のディアクティベーションタイマがスタートまたはリスタートされは再開された場合であって、尚且つ、上記あるコンポーネントキャリアがディアクティベートされることが予定される場合に、上記あるコンポーネントキャリアのディアクティベーションタイマをスタートまたはリスタートさせる第２の延長手段、または、
上記第１のコンポーネントキャリアの第１の延長タイマがスタートまたはリスタートされた場合であって、尚且つ、上記あるコンポーネントキャリアがディアクティベートされることが予定される場合に延長タイマをスタートまたはリスタートさせる第３の延長手段を備え、
上記延長タイマは、コンポーネントキャリアのアクティベーション期間を規定する特定のタイマである、請求項５７に記載のモバイル機器。
【請求項５９】
上記ディアクティベーションタイマがスタートまたはリスタートされた時に、上記あるコンポーネントキャリアの禁止タイマをスタートさせる手段をさらに備え、
上記第２の延長手段が、上記第１のコンポーネントキャリアの上記第１のディアクティベーションタイマがスタートまたはリスタートされた場合であって、尚且つ、上記禁止タイマが満了した場合に、上記ディアクティベーションタイマをスタートまたはリスタートさせる手段を備えているか、または、
上記第３の延長手段が、上記第１のコンポーネントキャリアの第１の延長タイマがスタートまたはリスタートされた場合であって、尚且つ、上記禁止タイマが満了した場合に、上記延長タイマをスタートまたはリスタートさせる手段を備えている、請求項５８に記載のモバイル機器。
【請求項６０】
ディアクティベーションタイマおよび延長タイマの少なくとも一方のタイマが満了し、尚且つ／または、上記無線通信システムのネットワークからコンポーネントキャリアをディアクティベートするための信号が受信された場合に、上記コンポーネントキャリアをディアクティベートする手段と、
（ａ）上記ディアクティベーションタイマもしくは上記延長タイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップのうちの１つ以上のステップを実行する手段と、を備えている請求項５８に記載のモバイル機器。
【請求項６１】
コンポーネントキャリアのアクティベーションおよびディアクティベーションをハンドリングするための無線通信システムのモバイル機器であるとともに、複数のコンポーネントキャリアで送受信が可能なモバイル機器であって、
上記複数のコンポーネントキャリアのうちのあるコンポーネントキャリアがアクティベートされた時に、コンポーネントキャリアのアクティベーション期間を規定するディアクティベーションタイマを開始する開始手段と、
上記コンポーネントキャリアにおける物理ダウンリンク共有チャンネル（ＰＤＳＣＨ）または物理ダウンリンク制御チャンネル（ＰＤＣＣＨ）を受信する受信手段と、
上記コンポーネントキャリアをディアクティベートする時点で上記ＰＤＣＣＨまたは上記ＰＤＳＣＨの割り当てに対応する次の送信が完了していない場合に、当該コンポーネントキャリアのアクティベーション期間を延長する延長手段と、を備えるモバイル機器。
【請求項６２】
上記延長手段は、上記コンポーネントキャリアにおける物理ダウンリンク共有チャンネル（ＰＤＳＣＨ）もしくは物理ダウンリンク制御チャンネル（ＰＤＣＣＨ）を受信した場合、または、上記コンポーネントキャリアをディアクティベートする前に上記ＰＤＣＣＨまたは上記ＰＤＳＣＨの割り当てに対応する次の送信が完了しなかった場合に、当該コンポーネントキャリアの延長タイマをリスタートまたはスタートさせる手段を備えており、
上記延長タイマは、上記ディアクティベーションタイマまたはコンポーネントキャリアのアクティベーション期間を規定する特定のタイマである、請求項６１に記載のモバイル機器。
【請求項６３】
上記ディアクティベーションタイマおよび上記延長タイマが満了し、尚且つ／または、上記無線通信システムのネットワークからコンポーネントキャリアをディアクティベートするための信号が受信された場合に、上記コンポーネントキャリアをディアクティベートする手段と、
（ａ）上記ディアクティベーションタイマもしくは上記第１のタイマを停止するステップ、
（ｂ）上記コンポーネントキャリアのためのＨＡＲＱバッファをフラッシュするステップ、
（ｃ）上記コンポーネントキャリアにおける物理アップリンク制御チャンネル（ＰＵＣＣＨ）もしくはＳＲＳ（Sounding Reference Signal）を停止もしくは解放するステップ、
（ｄ）上記コンポーネントキャリアにおける任意の設定されているダウンリンク割り当ておよびアップリンクグラントをクリアするステップ、
（ｅ）上記コンポーネントキャリアのＣＱＩ／ＰＭＩ／ＲＩレポーティングを停止するステップ、並びに、
（ｆ）上記コンポーネントキャリアのＰＤＣＣＨモニタリングを停止するステップのうち１つ以上のステップを実行する手段と、を備えている請求項６２に記載のモバイル機器。
【請求項６４】
上記ディアクティベーションタイマがスタートまたはリスタートされた時に、上記コンポーネントキャリアの禁止タイマをスタートさせる手段をさらに備え、
上記延長手段は、上記コンポーネントキャリアにおける物理ダウンリンク共有チャンネル（ＰＤＳＣＨ）または物理ダウンリンク制御チャンネル（ＰＤＣＣＨ）を受信した場合であって、尚且つ、上記禁止タイマが満了した場合と、上記コンポーネントキャリアをディアクティベートする前に上記ＰＤＣＣＨまたは上記ＰＤＳＣＨの割り当てに対応する次の送信が完了していない場合であって、尚且つ、上記禁止タイマが満了した場合と、のうちいずれかの場合に上記コンポーネントキャリアの延長タイマをリスタートまたはスタートさせる手段を備えている、請求項６２に記載のモバイル機器。
【発明の詳細な説明】
【技術分野】
【０００１】
本願は、無線通信システムにおいて用いられる方法およびそのような方法を用いる通信機器に関するものであり、特に、上記無線通信システムにおいてコンポーネントキャリアのアクティベーションおよびディアクティベーションをハンドリングする方法、および関連する通信機器に関する。
【背景技術】
【０００２】
第３世代パートナーシッププロジェクト（３ＧＰＰ）によって開始されたＬＴＥ（long-term evolution）システムは、現在、高データレート、短レイテンシであって、パケットが最適化され、さらに、システムの性能およびカバレッジが改善された新たな無線インターフェースおよび無線ネットワークアーキテクチャと考えられている。
【０００３】
ＬＴＥシステムにおいて、進化型ユニバーサル地上無線アクセスネットワーク（Ｅ−ＵＴＲＡＮ）は、複数の進化型ノードＢ（ｅＮＢ）を含んでおり、複数の移動局との間で通信を行う。移動局はユーザ端末（ＵＥ）とも呼ばれる。
【０００４】
ＬＴＥシステムの無線インターフェースプロトコルのアーキテクチャは、３つの層（物理層（Ｌ１）、データリンク層（Ｌ２）、およびネットワーク層（Ｌ３））を含んでいる。Ｌ３の制御プレーンは、無線リソース制御（ＲＲＣ）層である。Ｌ２は、さらにパケットデータ収束プロトコル（ＰＤＣＰ）層、無線リンク制御（ＲＬＣ）層、およびメディアアクセス制御（ＭＡＣ）層へ分割される。
【０００５】
より高いピークデータレートでデータを伝送するような進化した高速無線通信システムを実現するために、ＬＴＥ―Ａｄｖａｎｃｅｄシステムは、ＬＴＥシステムの発展版として、第３世代パートナーシッププロジェクト（３ＧＰＰ）によって標準化されている。
【０００６】
ＬＴＥ―Ａｄｖａｎｃｅｄシステムは、パワーステート（power states）のより素早い切り替えを目的としている。また、ＬＴＥ―Ａｄｖａｎｃｅｄシステムは、セル端における処理能力を向上する。そして、ＬＴＥ―Ａｄｖａｎｃｅｄシステムは、帯域幅拡張、多地点協調送受信（ＣＯＭＰ）、アップリンクにおけるマイモ（ＭＩＭＯ）等といった対象を含んでいる。
【０００７】
帯域幅拡張のため、ＬＴＥ―Ａｄｖａｎｃｅｄには、帯域幅をより広く拡張するキャリアアグリゲーション（ＣＡ；Carrier Aggregation）が導入されている。２以上のコンポーネントキャリアまたはセルが束ねられたキャリアアグリゲーションは、より広い送信帯域幅（例えば、最大１００ＭＨｚ）をサポートし、スペクトルアグリゲーション(Spectrum Aggregation)を実現する。
【０００８】
キャリアアグリゲーション（ＣＡ）の能力に従って、複数のコンポーネントキャリアが束ねられて全体としてより広い帯域幅となり、ユーザ端末は、受信および／または送信を同時に行う複数のコンポーネントキャリアに対応する多重リンクを確立することができる。
【０００９】
ＬＴＥ―Ａｄｖａｎｃｅｄシステムにおいて、ＲＲＣ接続状態となっているＵＥは、ネットワーク（すなわち、ｅＮＢ）と接続するための複数のコンポーネントキャリアについての設定が成される。
【００１０】
ＵＥは、設定されたすべてのコンポーネントキャリアｃｃ＃１−ｃｃ＃ｍを使用する必要はないので、上記複数のコンポーネントキャリアの一部のみがアクティベートされる。
【００１１】
一般的に、ｅＮＢは、信号（例えば、ＭＡＣ制御信号）をＵＥへ送信することにより、コンポーネントキャリアをアクティベートまたはディアクティベートする。
【００１２】
さらに、ディアクティベーションタイマ（deactivation timer）が満了した時、コンポーネントキャリアはディアクティベートされる。ＵＥは、コンポーネントキャリアがアクティベートされた時、そのコンポーネントキャリアのためのディアクティベーションタイマを開始する。
【００１３】
換言すると、ディアクティベーションタイマは、コンポーネントキャリアがアクティベートされている期間を規定している。
【００１４】
なお、コンポーネントキャリアがディアクティベートされたとき、ＵＥは、対応するＰＤＣＣまたは物理ダウンリンク共有チャンネル（ＰＤＳＣＨ）の受信または送信を必要としない。また、コンポーネントキャリアにおけるチャンネル品質指示子（ＣＱＩ）の測定も必要としない。
【００１５】
反対に、コンポーネントキャリアがアクティベートされたとき、ＵＥは、ＰＤＳＣＨおよびＰＤＣＣＨを受信または送信するものとされている。そして、ＵＥは、ＣＱＩ測定が可能となることが見込まれる。
【００１６】
上記説明に基づいて、本出願人は、コンポーネントキャリアのディアクティベーションに関する問題に注目し、いくつかのシナリオを以下に説明する。
【００１７】
第１のシナリオにおいては、ＵＥが、ＵＥにコンポーネントキャリアをディアクティベートさせるための信号（例えば、ＭＡＣ制御信号）を受信したとき、または、アクティベートされたコンポーネントキャリアに対応するディアクティベーションタイマが満了したときには、アクティベートされたコンポーネントキャリアにおいて実行されたハイブリッド自動再送要求（ＨＡＲＱ）プロセスの再送処理が完了しない。
【００１８】
具体的には、保留されたＨＡＲＱプロセスにおける再送のためにアップリンク承諾が生じた場合、または、ＨＡＲＱプロセスに対応するＨＡＲＱバッファにデータがある場合、ＵＥは、アップリンク送信のために、ＨＡＲＱフィードバック（例えば、ＨＡＲＱの肯定応答（ＡＣＫ）または否定応答（ＮＡＣＫ））を行うために、ＰＤＣＣＨ（Physical Downlink Control Channel）またはＰＨＩＣＨ（Physical Hybrid ARQ Indicator channel）を受信する。
【００１９】
しかしながら、ＵＥがアクティベートされたコンポーネントキャリアにおいてＨＡＲＱの肯定応答または否定応答（ＨＡＲＱ−ＡＣＫ／ＮＡＣＫ）を受信した場合、ＵＥは、（例えば、ディアクティベートさせるためのＭＡＣコマンドの受信、または、ディアクティベーションタイマの満了によって）コンポーネントキャリアをディアクティベートする前に、ＨＡＲＱ−ＡＣＫ／ＮＡＣＫのトリガによるＨＡＲＱプロセス再送を終了することができない。そして、このことがＨＡＲＱプロセスの再送ロスの原因となる。
【００２０】
一方、ダウンリンク送信のため、ＵＥは、アクティベートされたコンポーネントキャリアにおいて、ＰＤＣＣＨ／ＰＤＳＣＨを受信する。そして、ＵＥは、そのコンポーネントキャリアのためのＨＡＲＱ−ＲＴＴ（ラウンドトリップ時間）タイマを開始する。ＨＡＲＱ−ＲＴＴタイマは、ＵＥによってダウンリンクＨＡＲＱが再送されると見込まれる時点以前にサブフレームの総数を最小にする結果をもたらす。
【００２１】
しかしながら、コンポーネントキャリアは、ＨＡＲＱ−ＲＴＴタイマの期間中にディアクティベートされ得る。それゆえ、ＵＥは、コンポーネントキャリアのディアクティベーションにより、ＨＡＲＱ−ＲＴＴタイマ満了した後にダウンリンクＨＡＲＱプロセスにおける再送を受信することができず、これによって、ＨＡＲＱにおいて再送ロスが生じることになる。
【００２２】
なお、ＨＡＲＱプロセスは本技術分野で良く知られている技術であるため、ＨＡＲＱの機能および作用の詳細な説明はここでは省略する。
【００２３】
第２のシナリオにおいては、ＵＥが送信すべき新たなアップリンクデータを有しているが、利用可能なアップリンクリソースを有していないとき、ＵＥは、ネットワークにアップリンクリソースの割り当てを要求するためのＳＲ（Scheduling Request）手順を開始する。なお、ＳＲ手順が開始されたとき、アップリンクリソースが受信されるまで、ＵＥはＳＲ手順が保留されているとみなす。さらに、アップリンクリソースは、アクティベートされた任意のコンポーネントキャリアに割り当てることができる。しかしながら、（例えば、ディアクティベーションコマンドの受信、または、アクティベートされたコンポーネントに対応するディアクティベーションタイマの満了によって）コンポーネントキャリアをディアクティベートする前に、アップリンクリソースを受信することができない。したがって、ＵＥは、アップリンクデータ送信を実行するためのアップリンクの機会を失う。
【００２４】
第３のシナリオにおいては、ＵＥは、電力消費を抑えるために、間欠受信（ＤＲＸ）動作によって、ある設定された期間（例えば、コールされたＤＲＸアクティブ期間(called DRX Active time)）に限ってＰＤＣＣＨ信号を監視する。しかしながら、ＤＲＸアクティブ期間中に、（例えば、ディアクティベーションコマンドの受信、または、ディアクティベーションタイマの満了によって）コンポーネントキャリアは、ディアクティベートされ得る。それにより、ＤＲＸアクティベーション期間中、ＵＥは、ＰＤＣＣＨを監視することができないために、ＰＤＣＣＨを監視する時間が減少する。
【００２５】
第４のシナリオにおいては、ＵＥは、アップリンク同期のための、または、最初のセルアクセスのための、ランダムアクセス手順を実行する。
【００２６】
ランダムアクセス手順の間、ランダムアクセス手順のコンテンション解決メッセージ（contention resolution message）（または、ランダムアクセス応答メッセージ（random access response message））は、アクティベートされた任意のコンポーネントキャリアに割り当てられ得る。
【００２７】
しかしながら、ＵＥは、（例えば、ディアクティベーションコマンドの受信またはディアクティベーションタイマの満了によって）コンポーネントキャリアをディアクティベートする前に、コンテンション解決メッセージ（またはランダムアクセス応答メッセージ）を受信することができない。したがって、ランダムアクセス手順を完了することができないために、アップリンク同期および最初のセルアクセスが失敗する。
【００２８】
第５のシナリオにおいては、コンポーネントキャリアのためのＰＤＣＣＨ割り当て（PDCCH assignment）は、同一のまたは異なるコンポーネントキャリアにおいて送信され得る。つまり、第１のコンポーネントキャリアは、（例えば、ディアクティベーションコマンドの受信またはディアクティベーションタイマの満了によって）第２のコンポーネントキャリア（“クロスコンポーネントキャリア・スケジューリング”と呼ばれる）のためのＰＤＣＣＨ割り当てを受信し得る。しかしながら、第１のコンポーネントキャリアは、（例えば、ディアクティベーションコマンドの受信、または、ディアクティベーションタイマの満了によって）ディアクティベートされ得る。これにより、第１のコンポーネントキャリアは、第２のコンポーネントキャリアのためのＰＤＣＣＨ割り当てを受信することができず、クロスコンポーネントキャリア・スケジューリングが失敗することになる。
【００２９】
第６のシナリオにおいては、ＵＥは、ディアクティベーションタイマが満了する近い将来において、まだデータを有している可能性がある。例えば、ＵＥは、アクティベートされたコンポーネントキャリアにおける新たなダウンリンク／アップリンク送信を示す、ＰＤＣＣＨまたはＰＤＳＣＨ割り当てを受信することにより、受信／送信すべき次のデータが存在することを認識する。しかしながら、ＵＥは、（例えば、ディアクティベーションコマンドを受信したため、またはディアクティベーションタイマが満了したために）コンポーネントキャリアをディアクティベートするため、次のデータを受信／送信することができない。そのため、ダウンリンク／アップリンク送信は、完了しないか、あるいは、失敗する。
【発明の概要】
【発明が解決しようとする課題】
【００３０】
本出願は、上記問題を解決するための、無線通信システムにおけるコンポーネントキャリアのアクティベーションおよびディアクティベーションのハンドリング方法、および関連する通信機器を開示する。
【課題を解決するための手段】
【００３１】
無線通信システムにおいて複数のコンポーネントキャリア上での送信および受信が可能なモバイル機器のための、コンポーネントキャリアのアクティベーションおよびディアクティベーションをハンドリングする方法が、本出願によって開示されている。このハンドリング方法は、複数のコンポーネントキャリアのうちの一のコンポーネントキャリアがアクティベートされた時に、そのコンポーネントキャリアのアクティベーション期間を規定するディアクティベーションタイマを開始する工程、そのコンポーネントキャリアにおけるＨＡＲＱプロセスを実行する工程、および、そのコンポーネントキャリアをディアクティベートする時点でＨＡＲＱプロセスの再送が完了していない場合に、そのコンポーネントキャリアのアクティベーション期間を延長する工程を含む。
【００３２】
無線通信システムにおいて、複数のコンポーネントキャリアで送受信が可能なモバイル機器のコンポーネントキャリアのアクティベーションおよびディアクティベーションをハンドリングする方法が、本出願によって開示されている。このハンドリング方法は、複数のコンポーネントキャリアのうちのアクティベートされたコンポーネントキャリアにおけるＨＡＲＱプロセスを実行する工程、および、そのコンポーネントキャリアをディアクティベートする前にＨＡＲＱプロセスの再送が完了していない場合において、次にそのコンポーネントキャリアがアクティベートされる時にＨＡＲＱプロセスの再送を再開する工程を含む。
【００３３】
複数のコンポーネントキャリア上での送信および受信が可能なモバイル機器を備える無線通信システムのネットワークのための、コンポーネントキャリアのアクティベーションおよびディアクティベーションをハンドリングする方法が、本出願によって開示されている。このハンドリング方法は、複数のコンポーネントキャリアのうちのアクティベートされたコンポーネントキャリアにおけるＨＡＲＱプロセスを実行する工程、および、そのコンポーネントキャリアをディアクティベートする前にＨＡＲＱプロセス再送が完了していない場合において、次にそのコンポーネントキャリアがアクティベートされた時にＨＡＲＱプロセスの再送を再開する工程を含む。
【００３４】
無線通信システムにおいて複数のコンポーネントキャリア上での送信および受信が可能なモバイル機器のための、コンポーネントキャリアのアクティベーションおよびディアクティベーションをハンドリングする方法が、本出願によって開示されている。このハンドリング方法は、複数のコンポーネントキャリアのうちの一のコンポーネントキャリアがアクティベートされた時に、そのコンポーネントキャリアのアクティブ期間を規定するディアクティベーションタイマを開始する開始工程と、ＳＲ（scheduling request）手順を開始する工程と、そのコンポーネントキャリアをディアクティベートする時点においてＳＲ手順に対応するアップリンクリソースを受信していない場合に、そのコンポーネントキャリアのアクティベーション期間を延長する延長工程とを含む。
【００３５】
無線通信システムにおいて複数のコンポーネントキャリア上での送信および受信が可能なモバイル機器のための、コンポーネントキャリアのアクティベーションおよびディアクティベーションをハンドリングする方法が本出願によって開示されている。このハンドリング方法は、複数のコンポーネントキャリアのうちの一のコンポーネントキャリアがアクティベートされた時に、そのコンポーネントキャリアのアクティベーション期間を規定するディアクティベーションタイマを開始する開始工程と、そのコンポーネントキャリアにおける間欠受信（ＤＲＸ）動作を実行する工程と、ＤＲＸ動作のＤＲＸサイクルにおけるＤＲＸアクティブ期間中に、そのコンポーネントキャリアをディアクティベートすることが予定された場合に、そのコンポーネントキャリアのアクティベーション期間を延長する延長工程とを含む。
【００３６】
無線通信システムにおいて複数のコンポーネントキャリア上での送信および受信が可能なモバイル機器のための、コンポーネントキャリアのアクティベーションおよびディアクティベーションをハンドリングする方法が本出願によって開示されている。このハンドリング方法は、複数のコンポーネントキャリアのうちの一のコンポーネントキャリアがアクティベートされた時に、そのコンポーネントキャリアのアクティベーション期間を規定するディアクティベーションタイマを開始する開始工程と、ランダムアクセス手順を実行する工程と、そのコンポーネントキャリアをディアクティベートする時点においてランダムアクセス手順が完了していない場合に、そのコンポーネントキャリアのアクティベーション期間を延長する延長工程とを含む。
【００３７】
無線通信システムにおいて複数のコンポーネントキャリア上での送信および受信が可能なモバイル機器のための、コンポーネントキャリアのアクティベーションおよびディアクティベーションをハンドリングする方法が本出願によって開示されている。このハンドリング方法は、複数のコンポーネントキャリアのうちの一のコンポーネントキャリアがアクティベートされた時に、そのコンポーネントキャリアのアクティベーション期間を規定するディアクティベーションタイマを開始する開始工程と、上記複数のコンポーネントキャリアのうちの第１のコンポーネントキャリアに対して設定されているＰＤＣＣＨ割り当てを上記一のコンポーネントキャリアから受信する受信工程と、上記一のコンポーネントキャリアがディアクティベートされることが予定された場合に、第１のコンポーネントキャリアのＰＤＣＣＨ割り当てを受信するために上記一のコンポーネントキャリアのアクティベーション期間を延長する延長工程とを含む。
【００３８】
無線通信システムにおいて複数のコンポーネントキャリア上での送信および受信が可能なモバイル機器のための、コンポーネントキャリアのアクティベーションおよびディアクティベーションをハンドリングする方法が本出願によって開示されている。このハンドリング方法は、複数のコンポーネントキャリアのうちの一のコンポーネントキャリアがアクティベートされた時に、そのコンポーネントキャリアのアクティブ期間を規定するディアクティベーションタイマを開始する開始工程と、そのコンポーネントキャリアにおけるＰＤＳＣＨまたはＰＤＣＣＨを受信する受信工程と、そのコンポーネントキャリアをディアクティベートする時点でＰＤＣＣＨまたはＰＤＳＣＨ割り当てに対応する次の送信が完了していない場合に、コンポーネントキャリアのアクティベーション期間を延長する延長工程とを含む。
【００３９】
コンポーネントキャリアのアクティベーションおよびディアクティベーションをハンドリングする無線通信システムのモバイル機器が本出願によって開示されている。このモバイル機器は、複数のコンポーネントキャリアにおいて送信および受信が可能であり、複数のコンポーネントキャリアのうちの一のコンポーネントキャリアがアクティベートされた時にそのコンポーネントキャリアのアクティベーション期間を規定するディアクティベーションタイマを開始する開始手段、そのコンポーネントキャリアにおけるＨＡＲＱプロセスを実行する実行手段、および、そのコンポーネントキャリアをディアクティベートする時点でＨＡＲＱプロセスの再送が完了しなかった場合にそのコンポーネントキャリアのアクティベーション期間を延長する延長手段を備える。
【００４０】
コンポーネントキャリアのアクティベーションおよびディアクティベーションをハンドリングする無線通信システムのモバイル機器が本出願によって開示されている。このモバイル機器は、複数のコンポーネントキャリアにおいて送信および受信が可能であり、複数のコンポーネントキャリアのうちのアクティベートされたコンポーネントキャリアにおけるＨＡＲＱプロセスを実行する実行手段、および、そのコンポーネントキャリアをディアクティベートする前にＨＡＲＱプロセスの再送が完了しなかった場合、次にそのコンポーネントキャリアがアクティベートされた時にＨＡＲＱプロセスの再送を再開する再開手段を備える。
【００４１】
コンポーネントキャリアのアクティベーションおよびディアクティベーションをハンドリングする無線通信システムのネットワークであって、複数のコンポーネントキャリア上での送信および受信が可能なモバイル機器を備える無線通信システムのネットワークが、本出願によって開示されている。このネットワークは、複数のコンポーネントキャリアのうちのアクティベートされたコンポーネントキャリアにおけるＨＡＲＱプロセスを実行する実行手段、およびそのコンポーネントキャリアをディアクティベートする前にＨＡＲＱプロセスの再送が完了しなかった場合に、次にそのコンポーネントキャリアがアクティベートされた時にＨＡＲＱプロセスの再送を再開する再開手段を備える。
【００４２】
コンポーネントキャリアのアクティベーションおよびディアクティベーションをハンドリングするための、無線通信システムのモバイル機器が、本出願によって開示されている。このモバイル機器は、複数のコンポーネントキャリアにおいて送信および受信が可能であり、複数のコンポーネントキャリアのうちの一のコンポーネントキャリアがアクティベートされた時に、そのコンポーネントキャリアのアクティベーション期間を規定するディアクティベーションタイマを開始する第１開始手段、ＳＲ手順を開始する第２開始手段、および、そのコンポーネントキャリアをディアクティベートする時点でＳＲ手順に対応するアップリンクリソースを受信していない場合に、そのコンポーネントキャリアのアクティベーション期間を延長する延長手段を備える。
【００４３】
コンポーネントキャリアのアクティベーションおよびディアクティベーションをハンドリングする無線通信システムのモバイル機器が、本出願によって開示されている。このモバイル機器は、複数のコンポーネントキャリアにおいて送信および受信が可能であり、複数のコンポーネントキャリアのうちの一のコンポーネントキャリアがアクティベートされた時にそのコンポーネントキャリアのアクティベーション期間を規定するディアクティベーションタイマを開始する開始手段、そのコンポーネントキャリアにおける間欠受信（ＤＲＸ）動作を実行する手段、および、上記ＤＲＸ動作のＤＲＸサイクルにおけるＤＲＸアクティブ期間中にそのコンポーネントキャリアがディアクティベートされることが予定された場合に、そのコンポーネントキャリアのアクティベーション期間を延長する延長手段を備える。
【００４４】
コンポーネントキャリアのアクティベーションおよびディアクティベーションをハンドリングする無線通信システムのモバイル機器が、本出願によって開示されている。このモバイル機器は、複数のコンポーネントキャリアにおいて送信および受信が可能であり、複数のコンポーネントキャリアのうちの一のコンポーネントキャリアがアクティベートされた時にそのコンポーネントキャリアのアクティベーション期間を規定するディアクティベーションタイマを開始する開始手段、ランダムアクセス手順を実行する実行手段、および、そのコンポーネントキャリアをディアクティベートする時点でランダムアクセス手順が完了しなかった場合に、そのコンポーネントキャリアのアクティベーション期間を延長する延長手段を備える。
【００４５】
コンポーネントキャリアのアクティベーションおよびディアクティベーションをハンドリングする無線通信システムのモバイル機器が、本出願によって開示されている。このモバイル機器は、複数のコンポーネントキャリアにおいて送信および受信が可能であり、複数のコンポーネントキャリアのうちの一のコンポーネントキャリアがアクティベートされた時にそのコンポーネントキャリアのアクティベーション期間を規定するディアクティベーションタイマを開始する開始手段、上記複数のコンポーネントキャリアのうちの第１のコンポーネントキャリアに設定されたＰＤＣＣＨ割り当てを、上記一のコンポーネントキャリアから受信する受信手段、および、上記一のコンポーネントキャリアがディアクティベートされることが予定された場合に、第１のコンポーネントキャリアのＰＤＣＣＨ割り当てを受信するために上記一のコンポーネントキャリアのアクティベーション期間を延長する延長手段を備える。
【００４６】
コンポーネントキャリアのアクティベーションおよびディアクティベーションをハンドリングする無線通信システムのモバイル機器が、本出願によって開示されている。このモバイル機器は、複数のコンポーネントキャリアにおいて送信および受信が可能であり、上記複数のコンポーネントキャリアのうちの一のコンポーネントキャリアがアクティベートされた時にそのコンポーネントキャリアのアクティベーション期間を規定するディアクティベーションタイマを開始する開始手段、そのコンポーネントキャリアにおけるＰＤＳＣＨまたはＰＤＣＣＨを受信する受信手段、および、そのコンポーネントキャリアをディアクティベートする時点でＰＤＣＣＨまたはＰＤＳＣＨ割り当てに対応する次の送信が完了していない場合に、そのコンポーネントキャリアのアクティベーション期間を延長する延長手段を備える。
【００４７】
本発明の前述の目的およびその他の目的は、様々な図面で示された以下の好ましい実施形態の詳細な説明を読んだ当業者にとっては確実に明らかである。
【図面の簡単な説明】
【００４８】
【図１】典型的な無線通信システムを示す概要図である。
【図２】典型的な通信機器を示す概要図である。
【図３】典型的な通信システムの通信プロトコル層を示す概要図である。
【図４】典型的な処理を示すフローチャートである。
【図５Ａ】異なる実施形態についてコンポーネントキャリアのアクティベーション−ディアクティベーションの期間を示す図である。
【図５Ｂ】異なる実施形態についてコンポーネントキャリアのアクティベーション−ディアクティベーションの期間を示す図である。
【図５Ｃ】異なる実施形態についてコンポーネントキャリアのアクティベーション−ディアクティベーションの期間を示す図である。
【図６Ａ】異なる実施形態についてコンポーネントキャリアのアクティベーション−ディアクティベーションの期間を示す図である。
【図６Ｂ】異なる実施形態についてコンポーネントキャリアのアクティベーション−ディアクティベーションの期間を示す図である。
【図６Ｃ】異なる実施形態についてコンポーネントキャリアのアクティベーション−ディアクティベーションの期間を示す図である。
【図６Ｄ】異なる実施形態についてコンポーネントキャリアのアクティベーション−ディアクティベーションの期間を示す図である。
【図７】典型的な処理を示すフローチャートである。
【図８】一実施形態に係る伝送シーケンス図である。
【図９】典型的な処理を示すフローチャートである。
【図１０】典型的な処理を示すフローチャートである。
【図１１】一実施形態に係る伝送シーケンス図である。
【図１２】典型的な処理を示すフローチャートである。
【図１３】間欠受信（ＤＲＸ）動作状態におけるコンポーネントキャリアのアクティベーション−ディアクティベーションの期間を示す概要図である。
【図１４】典型的な処理を示すフローチャートである。
【図１５】コンテンション型のランダムアクセス手順の概要図である。
【図１６】コンテンション型のランダムアクセス手順の概要図である。
【図１７】非コンテンション型のランダムアクセス手順の概要図である。
【図１８】非コンテンション型のランダムアクセス手順の概要図である。
【図１９】典型的な処理を示すフローチャートである。
【図２０】一実施形態に係るコンポーネントキャリアのアクティベーション−ディアクティベーションの期間を示す図である。
【図２１】典型的な処理を示すフローチャートである。
【図２２Ａ】異なる実施形態についてコンポーネントキャリアのアクティベーション−ディアクティベーションの期間を示す図である。
【図２２Ｂ】異なる実施形態についてコンポーネントキャリアのアクティベーション−ディアクティベーションの期間を示す図である。
【図２２Ｃ】異なる実施形態についてコンポーネントキャリアのアクティベーション−ディアクティベーションの期間を示す図である。
【発明を実施するための形態】
【００４９】
図１を参照されたい。図１は、モバイル機器１０とベースステーションＢ１−Ｂｎとの間における複数接続を特徴とする無線通信システムの概要図である。この無線通信システムは、ＬＴＥ―Ａｄｖａｎｃｅｄシステム（すなわち、進化型ユニバーサル地上無線アクセスネットワーク（Ｅ−ＵＴＲＡＮ））または他の類似するネットワークシステム（例えば、ＷｉＭＡＸ（Worldwide Interoperability for Microwave Access））であっても良い。モバイル機器１０は、キャリアアグリゲーション（ＣＡ）またはＣＯＭＰと協働することができる。図１において、モバイル機器１０は、当該モバイル機器１０において構成されたコンポーネントキャリアｃｃ＃１−ｃｃ＃ｍのそれぞれ対応する無線リンクＬ１−Ｌｍを通じて、ベースステーションＢ１−Ｂｎと通信する。コンポーネントキャリアｃｃ＃１−ｃｃ＃ｍの各々は、無線周波数（ＲＦ）チャネルに対応しており、異なる複数の通信システムに応じて、そのバンド幅は様々である。さらに、モバイル機器１０は、ユーザ端末（ＵＥ）または移動局（ＭＳ）と呼ばれ、モバイル電話やコンピュータシステム等のような機器であっても良い。
【００５０】
図２は、典型的な通信機器２０を示す概要図である。この通信機器２０は、図１に示したモバイル機器１０になり得るが、これに限定されるものではない。この通信機器２０は、マイクロプロセッサまたはＡＳＩＣ（Application Specific Integrated Circuit）のような処理手段２００、記憶ユニット２１０、および通信インターフェースユニット２２０を備えている。記憶ユニット２１０には、処理手段２００によってアクセスされるプログラムコード２１４を記憶することが可能な、任意のデータ記憶機器が採用され得る。記憶ユニット２１０の例としては、加入者識別モジュール（ＳＩＭ）、リードオンリーメモリ（ＲＯＭ）、フラッシュメモリ、ランダムアクセスメモリ（ＲＡＭ）、ＣＤ−ＲＯＭ、磁気テープ、ハードディスク、および光学データ記憶機器が挙げられるが、これらに限定されるものではない。通信インターフェースユニット２２０は、好ましくは無線送受信機であり、処理手段２００の処理結果に応じて、ネットワークとの間で無線信号の交換をすることができる。
【００５１】
図３を参照されたい。図３は、ＬＴＥ―Ａｄｖａｎｃｅｄシステムの通信プロトコル層を示す概要図である。いくつかのプロトコル層の動作は、プログラムコード２１４によって定義され、処理手段２００によって実行され得る。このプロトコル層の上位層から下位層までには、無線通信制御（ＲＲＣ）層３００、パケットデータ収束プロトコル（ＰＤＣＰ）層３１０、無線リンク制御（ＲＬＣ）層３２０、メディアアクセス制御（ＭＡＣ）層３３０、および物理（ＰＨＹ）層３４０を含み得る。ＭＡＣ層３３０における主なサービスおよび機能には、ＨＡＲＱによる誤り訂正や、ランダムアクセス手順によるアップリンク同期等が含まれる。
【００５２】
ハイブリッド自動再送要求（ＨＡＲＱ）再送、スケジューリング要求（ＳＲ）手順、ランダムアクセス手順, クロスコンポーネントキャリア・スケジューリング、新たなデータの送信、間欠受信（ＤＲＸ）動作等といったモバイル機器１０において継続中の処理を中断させてしまうようなディアクティベーションタイマの構成を避けるため、本出願人は以下のような解決法を提供する。
【００５３】
図４を参照されたい。図４は、処理４０の一例を示すフローチャートである。処理４０は、ＵＥ（例えば、図１のモバイル機器１０）および／またはネットワーク（例えば、基地局、Ｅ−ＵＴＲＡＮ、またはｅＮＢ）において、コンポーネントキャリアのアクティベーションおよびディアクティベーションをハンドリングするために利用される。処理４０は、プログラムコード２１４へとコンパイルすることができる。処理４０は、以下の各ステップを含んでいる。
ステップ４００：開始。
ステップ４１０：複数のコンポーネントキャリアのうちの一のコンポーネントキャリアがアクティベートされた時に、そのコンポーネントキャリアのためのディアクティベーションタイマを開始する。
ステップ４２０：上記コンポーネントキャリアにおけるＨＡＲＱプロセスを実行する。
ステップ４３０：上記コンポーネントキャリアをディアクティベートする時点でＨＡＲＱプロセスの再送が完了していない場合にコンポーネントキャリアのアクティベーション期間を延長する。
ステップ４４０：終了。
【００５４】
この処理４０によれば、上記コンポーネントキャリアのディアクティベーションタイマが規定するアクティベーション期間中にＨＡＲＱプロセスの再送が完了しなかったとき、ＵＥは、ＨＡＲＱプロセスの再送が完了するように、コンポーネントキャリアのアクティベーション期間を延長する。すなわち、ＵＥは、コンポーネントキャリアのアクティベーション期間を延長することによりコンポーネントキャリアのアクティベーションを維持する。これにより、延長された期間中（例えば、ＵＥが、ＨＡＲＱフィードバック（例えば、肯定応答（ＡＣＫ）または否定応答（ＮＡＣＫ））を受信／送信したが、ディアクティベーションタイマが満了する前にＨＡＲＱフィードバックに対応するＨＡＲＱプロセスの再送を送信／受信していない場合）にコンポーネントキャリアにおけるＨＡＲＱプロセスの再送を実行し、ＨＡＲＱプロセスの再送を完了することができる。
【００５５】
上記処理４０に基づく具体例を挙げる。図５Ａは、第１実施形態に係るコンポーネントキャリアのアクティベーション−ディアクティベーションの期間を示す図である。簡潔に、２つのコンポーネントキャリアｃｃ＃１およびｃｃ＃２だけが示されている。図５Ａにおいて、コンポーネントキャリアｃｃ＃１は、プライマリコンポーネントキャリア（ＰＣＣ）であり、常にアクティベートされている、コンポーネントキャリアｃｃ＃２は、セカンダリコンポーネントキャリア（ＳＣＣ）であり、コンポーネントキャリアをアクティベートするためのメッセージ（コンポーネントキャリアアクティベートメッセージ）を受信すると、アクティベートされる。なお、コンポーネントキャリアｃｃ＃２をアクティベートするためのコンポーネントキャリアアクティベートメッセージは、コンポーネントキャリアｃｃ＃１上、またはコンポーネントキャリアｃｃ＃２上のいずれかにおいて送信され得る。一度、コンポーネントキャリアｃｃ＃２がアクティベートされると、ＵＥは、ディアクティベーションタイマをスタートさせる。アップリンク送信のためにＵＥは、ＨＡＲＱパケットをネットワーク（すなわち、Ｅ−ＵＴＲＡＮまたはｅＮＢ）へ送信すると、ネットワークが、物理ハイブリッドＡＲＱ指示チャンネル（ＰＨＩＣＨ）を通じて、ＨＡＲＱフィードバック（例えば、ＨＡＲＱ−ＡＣＫ／ＮＡＣＫ）を返送する。その後、ＵＥは、受信したＨＡＲＱ−ＡＣＫ／ＮＡＣＫに応じて、ＨＡＲＱプロセスの再送を実行する。一般的に、ＵＥは、ＨＡＲＱ−ＡＣＫを受信した時には新たなＨＡＲＱパケットをネットワークへ送信する。これに対し、ＵＥは、ＨＡＲＱ−ＮＡＣＫを受信した時にはＨＡＲＱパケットをネットワークへ再送する。しかしながら、ＵＥは、（例えば、コンポーネントキャリアをディアクティベートするためのメッセージの受信、または、ディアクティベーションタイマの満了によって）コンポーネントキャリアをディアクティベートする前に、ＨＡＲＱプロセスの再送を完了できない場合がある。この場合、ＵＥは、コンポーネントキャリアｃｃ＃２のアクティベーション期間を延長するために、ＰＨＩＣＨ（またはＨＡＲＱ−ＡＣＫ／ＮＡＣＫ）を受信した時にディアクティベーションタイマをリスタートさせても良い。これにより、延長されたアクティベーション期間中に、コンポーネントキャリアｃｃ＃２においてＨＡＲＱプロセスの再送を実行し、ＨＡＲＱプロセスの再送が完了するようにしてもよい。
【００５６】
ディアクティベーションタイマをリスタートさせるだけでなく、ＵＥは、コンポーネントキャリアのアクティベーション期間を規定する特定のタイマ（以降では、延長タイマと呼ぶ）を開始できる。図５Ｂを参照されたい。図５Ｂは、第２実施形態に係るコンポーネントキャリアのアクティベーション−ディアクティベーションの期間を示す図である。図５Ｂにおいて、ＵＥは、ＰＨＩＣＨ（またはＨＡＲＱ−ＡＣＫ／ＮＡＣＫ）を受信した時に、コンポーネントキャリアｃｃ＃２のアクティベーション期間を延長するために延長タイマＴ１をスタートさせる。それゆえ、延長されたアクティベーション期間中にＨＡＲＱプロセスの再送が完了するように、コンポーネントキャリアｃｃ＃２におけるＨＡＲＱプロセスの再送を実行することができる。一度、ディアクティベーションタイマおよび延長タイマＴ１が満了すると、コンポーネントキャリアはディアクティベートされる。
【００５７】
なお、タイマの不要な開始またはリスタートを防止するため、禁止タイマが用いられる。図５Ｃは、第３実施形態に係るコンポーネントキャリアのアクティベーション−ディアクティベーションの期間を示す図である。ディアクティベーションタイマが開始されたとき、ＵＥは、禁止タイマを開始しても良い。禁止タイマの持続期間中、ＵＥは、（例えば、ＰＨＩＣＨを受信した時に）コンポーネントキャリアｃｃ＃２のアクティベーション期間を延長するディアクティベーションタイマ／延長タイマＴ１をリスタート／開始しないことにより、タイマの不要な開始またはリスタートを防止する。反対に、ＵＥは、禁止タイマが満了し、且つ、ＰＨＩＣＨを受信した時に、ディアクティベーションタイマ／延長タイマＴ１をリスタート／開始することにより、コンポーネントキャリアｃｃ＃２のアクティベーション期間を延長し得る。
【００５８】
ダウンリンク送信に関して図６Ａを参照されたい。図６Ａは、第４実施形態に係るコンポーネントキャリアのアクティベーション−ディアクティベーションの期間を示す図である。ディアクティベーションタイマの持続期間中、ＵＥは、コンポーネントキャリアｃｃ＃２において、ダウンリンク送信またはダウンリンク割り当てを示すＰＤＣＣＨ／ＰＤＳＣＨを受信することにより、ＨＡＲＱ−ＲＴＴ（round trip time）タイマを開始する。ＨＡＲＱ−ＲＴＴタイマの持続期間中、ＵＥによるダウンリンクＨＡＲＱプロセスの再送は見込まれない。換言すると、ＵＥは、ＨＡＲＱ−ＲＴＴタイマの満了の前に、ダウンリンクＨＡＲＱプロセスの再送を受信し得ない。しかしながら、ＨＡＲＱ−ＲＴＴタイマの持続期間中、（例えば、ディアクティベーションメッセージの受信、または、ディアクティベーションタイマの満了によって）コンポーネントキャリアはディアクティベートされ得る。それゆえ、ＵＥは、ＨＡＲＱ−ＲＴＴタイマの満了後、ダウンリンクＨＡＲＱプロセスの再送を受信できない。この場合、ＵＥは、ＨＡＲＱ−ＲＴＴタイマが満了した時に、コンポーネントキャリアｃｃ＃２のための延長タイマＴ２を開始することにより、コンポーネントキャリアｃｃ＃２のアクティベーション期間を延長することができる。これにより、ＵＥは、ＨＡＲＱ−ＲＴＴタイマの満了後、延長タイマＴ２の期間中にダウンリンクＨＡＲＱプロセスの再送を受信することができる。その結果、ＵＥは、ダウンリンクＨＡＲＱプロセスの再送を完了する。
【００５９】
一方、図６Ｂに示すように、ＵＥは、ＨＡＲＱ−ＲＴＴタイマが開始／停止された時にコンポーネントキャリアｃｃ＃２のアクティベーション期間を延長するためのディアクティベーションタイマをリスタートしてもよい。または、図６Ｃに示すように、ＵＥは、ＨＡＲＱ−ＲＴＴタイマが開始／停止された時にコンポーネントキャリアｃｃ＃２のアクティベーション期間を延長するための延長タイマＴ３を開始してもよい。さらに、図６Ｄに示すように、ＵＥは、ディアクティベーションタイマが開始された時に、タイマの不要な開始またはリスタートを防止するために禁止タイマを開始してもよい。ＵＥは、タイマの不要な開始または再開を防止するために、禁止タイマの満了の前に、延長タイマＴ２あるいはＴ３またはディアクティベーションタイマを、開始またはリスタートしない。
【００６０】
処理４０は、コンポーネントキャリアをディアクティベートする時点でＨＡＲＱプロセス再送が完了していない場合の、ＨＡＲＱプロセスの再送を完了する方法を明確に示している。ＵＥは、ＨＡＲＱプロセス再送が完了するように、コンポーネントキャリアのアクティベーション期間を延長する。
【００６１】
図７を参照されたい。図７は、典型的な処理７０を示すフローチャートである。処理７０は、ネットワークにおいて、コンポーネントキャリアのアクティベーションおよびディアクティベーションをハンドリングするために利用される。処理７０は、プログラムコード２１４へとコンパイルすることができる。処理７０は、以下の各ステップを含む。
ステップ７００：開始。
ステップ７１０：複数のコンポーネントキャリアのうちの一のコンポーネントキャリアをアクティベートするために、コンポーネントキャリアをアクティベートするためのメッセージをモバイル機器へ送信する。これにより、モバイル機器および／またはネットワークは、そのコンポーネントキャリアのディアクティベーションタイマを開始する。
ステップ７２０：上記コンポーネントキャリアにおけるＨＡＲＱプロセスを実行する。
ステップ７３０：上記コンポーネントキャリアをディアクティベートする前に、ＨＡＲＱプロセスの再送が完了しなかった場合、コンポーネントキャリアが次にアクティベートされた時にＨＡＲＱプロセスの再送を再開する。
ステップ７４０：終了。
【００６２】
処理７０によれば、コンポーネントキャリアをディアクティベートする前に、ＨＡＲＱプロセスの再送が完了しなかったとき、ネットワークは、ＨＡＲＱプロセスの再送を停止する。そして、ネットワークは、そのコンポーネントキャリアが次にアクティベートされた時にＨＡＲＱプロセスの再送を実行することにより、ＨＡＲＱプロセスの再送を完了する。
【００６３】
上記処理７０に基づく例を挙げる。図８を参照されたい。図８は、一実施形態に係る伝送シーケンスを示す図である。ネットワークは、コンポーネントキャリアアクティベーションメッセージをＵＥへ送信する。これにより、ＵＥは、コンポーネントキャリアｃｃ＃２をアクティベートするとともに、ディアクティベーションタイマを開始する。ネットワークは、ＨＡＲＱパケットをＵＥへ送信する。それから、ネットワークは、ＨＡＲＱフィードバック（例えば、ＨＡＲＱ  ＮＡＣＫ）をＵＥから受信する。しかしながら、ディアクティベーションタイマが満了した時にＨＡＲＱプロセスの再送は完了しておらず、ＵＥはコンポーネントキャリアをディアクティベートする。換言すると、ＵＥは、ＨＡＲＱプロセスの継続中に、コンポーネントキャリアｃｃ＃２をディアクティベートする。この場合、ネットワークおよび／またはＵＥは、ＨＡＲＱプロセスの再送を停止し、コンポーネントキャリアｃｃ＃２が再びアクティベートされた時にＨＡＲＱの再送を再開することにより、ＨＡＲＱプロセス再送を完了するようにしても良い。
【００６４】
さらに、コンポーネントキャリアｃｃ＃２がディアクティベートされた時に、ＵＥは、コンポーネントキャリアｃｃ＃２のための有効タイマを開始しても良い。ネットワークは、有効タイマが満了する前にコンポーネントキャリアｃｃ＃２が再度アクティベートされた場合、ＨＡＲＱプロセスの再送を再開する。別の方法として、ＨＡＲＱプロセスに対応するＨＡＲＱバッファに含まれるデータの有効性を維持するために、ネットワークおよび／またはＵＥは、ＨＡＲＱプロセスの再送を再開しなくても良い。
【００６５】
処理７０は、コンポーネントキャリアをディアクティベートする前に、ＨＡＲＱプロセスの再送が完了しなかった場合の、ＨＡＲＱプロセス再送の完了の仕方を明確に示している。ネットワークおよび／またはＵＥは、次にコンポーネントキャリアがアクティベートされた時にＨＡＲＱプロセスの再送を再開することにより、ＨＡＲＱプロセス再送を完了する。
【００６６】
図９を参照されたい。図９は、典型的な処理９０を示すフローチャートである。処理９０は、図１のモバイル機器１０のような、複数のコンポーネントキャリアを通じたネットワークとの通信が可能なＵＥによって、コンポーネントキャリアのアクティベーションおよびディアクティベーションをハンドリングするために利用される。
【００６７】
処理９０は、プログラムコード２１４へとコンパイルすることができる。処理９０は、以下の各ステップを含む。
ステップ９００：開始。
ステップ９１０：複数のコンポーネントキャリアのうちの一のコンポーネントキャリアがアクティベートされた時に、そのコンポーネントキャリアのディアクティベーションタイマを開始する。
ステップ９２０：上記コンポーネントキャリアにおけるＨＡＲＱプロセスを実行する。
ステップ９３０：ディアクティベーションタイマが満了した時に上記コンポーネントキャリアをディアクティベートする。
ステップ９４０：上記コンポーネントキャリアをディアクティベートする前にＨＡＲＱプロセスの再送が完了しなかった場合、次にそのコンポーネントキャリアがアクティベートされた時にＨＡＲＱプロセスの再送を再開する。
ステップ９５０：終了。
【００６８】
この処理９０によれば、ディアクティベーションタイマが満了した時にたとえ上記コンポーネントキャリアにおけるＨＡＲＱプロセスが継続中であったとしても、ＵＥは、そのコンポーネントキャリアをディアクティベートする。そして、ＵＥは、次にそのコンポーネントキャリアがアクティベートされた時にＨＡＲＱプロセスの再送を再開することにより、ＨＡＲＱプロセスの再送を完了する。
【００６９】
処理９０は、（例えば、ディアクティベーションコマンドの受信、または、ディアクティベーションタイマの満了によって）コンポーネントキャリアをディアクティベートする前に、ＨＡＲＱプロセス再送が完了しなかった場合の、ＨＡＲＱプロセスの再送を完了剃る方法を明確に示している。ＵＥは、ＨＡＲＱプロセスの再送が完了するように、次にコンポーネントキャリアがアクティベートされた時にＨＡＲＱプロセスの再送を再開する。さらに、ＵＥは、コンポーネントキャリアがディアクティベートされた時にタイマを開始する。そして、ＵＥは、タイマが満了する前に、コンポーネントキャリアが再度アクティベートされた場合、ＨＡＲＱプロセス再送を再開する。詳細な説明は上記から参照することができるので、ここでは言及しない。
【００７０】
図１０を参照されたい。図１０は、典型的な処理１００を示すフローチャートである。処理１００は、複数のコンポーネントキャリアを通じてネットワークとの通信が可能なＵＥにおいて、コンポーネントキャリアのアクティベーションおよびディアクティベーションをハンドリングするために利用される。処理１００は、プログラムコード２１４へとコンパイルすることができ、処理１００は、以下の各ステップを含む。
ステップ１０００：開始。
ステップ１０１０：複数のコンポーネントキャリアのうちの一のコンポーネントキャリアがアクティベートされたとき、そのコンポーネントキャリアのためのディアクティベーションタイマを開始する。
ステップ１０２０：ＳＲ手順を開始する。
ステップ１０３０：コンポーネントキャリアをディアクティベートする時点でＳＲ手順に対応するアップリンクリソースが受信していない場合に、コンポーネントキャリアのアクティベーション期間を延長する。
ステップ１０４０：終了。
【００７１】
処理１００によれば、ＵＥは、新たな送信信号からのアップリンクリソースを要求するためのＳＲ手順を開始する。そして、ＵＥは、（例えば、ディアクティベーションコマンドの受信、または、ディアクティベーションタイマの満了によって）コンポーネントキャリアをディアクティベートする前にアップリンクリソースを受信しなかった場合にそのコンポーネントキャリアのアクティベーション状態を維持することにより、アップリンクリソースを受信してもよい。
【００７２】
上記処理１００に基づく例を挙げる。図１１を参照されたい。図１１は、一実施形態に係る伝送シーケンスを示す図である。ＵＥは、ＳＲ手順を開始する。そして、ＵＥは、コンポーネントキャリアｃｃ＃１を介して、ネットワークへ、ＳＲメッセージを送信する。なお、アップリンクリソースは、ＰＤＣＣＨによって、コンポーネントキャリアｃｃ＃１またはｃｃ＃２へ割り当てられ得る。しかしながら、ＵＥは、（例えば、ディアクティベーションコマンドの受信、またはディアクティベーションタイマの満了によって）コンポーネントキャリアをディアクティベートする前にアップリンクリソースを受信しておらず、ＳＲ手順が保留されているとみなす。この場合、ＵＥは、送信用のアップリンクリソースを受信するためにコンポーネントキャリアｃｃ＃２のアクティベーション期間を延長する。つまり、ＵＥは、アップリンクリソースを受信するために、コンポーネントキャリアｃｃ＃２のアクティベーション状態を維持する。ＵＥは、コンポーネントキャリアｃｃ＃２のアクティベーション期間を延長するために、ディアクティベーションタイマ／延長タイマをリスタート／開始し得る。これにより、延長されたアクティベーション期間中に、アップリンクリソースは、コンポーネントキャリアｃｃ＃２において受信され得る。ディアクティベーションタイマ／延長タイマの詳細な説明は、上記を参照することによって得られるので、ここでは言及しない。さらに、ＵＥは、アップリンクリソースを用いてバッファ状態レポート（ＢＳＲ）をネットワークへ送信してもよい。その後、ＳＲ手順はキャンセルしてもよい。
【００７３】
処理１００は、コンポーネントキャリアをディアクティベートする前にＳＲ手順に対応するアップリンクリソースが受信されなかった状況におけるハンドリング方法を明確に示している。ＵＥは、アップリンクリソースを受信するためにコンポーネントキャリアのアクティベーション期間を延長することにより、新たな送信を実行する。
【００７４】
図１２を参照されたい。図１２は、典型的な処理１２０を示すフローチャートである。処理１２０は、ＵＥ（例えば、図１のモバイル機器１０）および／またはネットワークにおいて、コンポーネントキャリアのアクティベーションおよびディアクティベーションをハンドリングするために利用される。処理１２０は、プログラムコード２１４へとコンパイルすることができる。処理１２０は、以下の各ステップを含む。
ステップ１２００：開始。
ステップ１２１０：複数のコンポーネントキャリアのうちの一のコンポーネントキャリアがアクティベートされた時にそのコンポーネントキャリアのディアクティベーションタイマを開始する。
ステップ１２２０：上記コンポーネントキャリアにおけるＤＲＸ動作を実行する。
ステップ１２３０：ＤＲＸ動作におけるＤＲＸサイクルのＤＲＸアクティブ期間中に、コンポーネントキャリアがディアクティベートされることが予定される場合に、コンポーネントキャリアのアクティベーション期間を延長する。
ステップ１２４０：終了。
【００７５】
処理１２０に従って、ＵＥは、アクティベートされたコンポーネントキャリアにおけるＤＲＸ動作を実行する。そして、ＵＥは、ＰＤＣＣＨをモニタリングするように設定されたＤＲＸ動作におけるＤＲＸサイクルのＤＲＸアクティブ期間中にコンポーネントキャリアがディアクティベートされることが予定された場合に、ＰＤＣＣＨモニタリングのため十分なＤＲＸアクティブ時間を要求するために、コンポーネントキャリアのアクティベーション状態を維持する。
【００７６】
上記処理１２０に基づく例を挙げる。図１３を参照されたい。図１３は、間欠受信（ＤＲＸ）動作状態におけるコンポーネントキャリアのアクティベーション−ディアクティベーションの期間を示す概要図である。ＵＥは、ＤＲＸコンフィグレーションが受信されたとき、ＤＲＸコンフィグレーションを開始する。コンポーネントキャリアｃｃ＃１およびｃｃ＃２は、いくつかのＤＲＸコンフィグレーションを共有することにより、ＤＲＸアクティブ期間およびＤＲＸインアクティブ期間（図１３において、ＤＲＸ−ｏｎおよびＤＲＸ−ｏｆｆによって表現されている）が同一となっていてもよい。しかしながら、コンポーネントキャリアは、ＤＲＸアクティブ期間中に、ディアクティベートされても良い（例えば、ＵＥがコンポーネントキャリアをディアクティベートするためのコマンドを受信したことによるもの、または、ディアクティベーションタイマ（または上記延長タイマ）の満了によるものであっても良い。）。この場合、ＵＥは、コンポーネントキャリアｃｃ＃２のアクティベーション期間を延長する。具体的には、ＵＥは、ＤＲＸアクティブ期間が終了するまでコンポーネントキャリアのアクティベーション状態を維持することにより、ＰＤＣＣＨをモニタリングする時間が増加するのを避ける。延長タイマのような、コンポーネントキャリアｃｃ＃２のアクティベーション期間を延長するための方法は、上記から参照することができるので、ここには記載しない。さらに、ＵＥは、ＤＲＸ動作期間が終了した後、コンポーネントキャリアｃｃ＃２をディアクティベートする。
【００７７】
処理１２０は、ＰＤＣＣＨをモニタリングするためのＤＲＸアクティブ期間中に、コンポーネントキャリアがディアクティベートされることが予定されるという状況をハンドルする方法を明確に示している。ＵＥは、ＰＤＣＣＨをモニタリングするためのＤＲＸサイクルの期間（すなわち、ＤＲＸアクティブ期間）を完了するために、コンポーネントキャリアのアクティベーション期間を延長する。
【００７８】
図１４を参照されたい。図１４は、典型的な処理１４０を示すフローチャートである。処理１４０は、複数のコンポーネントキャリアを通じてネットワークとの通信が可能なＵＥにおいて、コンポーネントキャリアのアクティベーションおよびディアクティベーションをハンドリングするために利用される。処理１４０は、プログラムコード２１４へとコンパイルすることができる。処理１４０は、以下の各ステップを含む。
ステップ１４００：開始。
ステップ１４１０：複数のコンポーネントキャリアのうちの一のコンポーネントキャリアがアクティベートされた時にそのコンポーネントキャリアのディアクティベーションタイマを開始する。
ステップ１４２０：ランダムアクセス手順を実行する。
ステップ１４３０：上記コンポーネントキャリアをディアクティベートする時点でランダムアクセス手順が完了していない場合に、そのコンポーネントキャリアのアクティベーション期間を延長する。
ステップ１４４０：終了。
【００７９】
処理１４０にしたがって、ＵＥは、ランダムアクセス手順（例えば、コンテンショ型のランダムアクセス手順、または、非コンテンション型のランダムアクセス手順）を実行する。そして、ＵＥは、もしランダムアクセス手順が完了しなかった場合、コンポーネントキャリアのアクティベーション状態を維持することにより、ランダムアクセス手順が完了する。
【００８０】
上記処理１４０に基づく例を挙げる。図１５を参照されたい。図１５は、コンテンション型のランダムアクセス手順を示す概要図である。ＵＥは、コンポーネントキャリアｃｃ＃２におけるコンテンション型のランダムアクセス手順を実行する。そして、ＵＥは、ＵＥの識別情報が含まれているランダムアクセス手順のスケジュール送信メッセージを、ネットワーク（例えば、ｅＮＢ）へ送信する。しかしながら、ＵＥは、コンポーネントキャリアｃｃ＃２のディアクティベーションタイマが満了する前に、コンテンション型のランダムアクセス手順のコンテンション解決メッセージを受信しない。この場合、ＵＥは、コンポーネントキャリアｃｃ＃２の競合解決タイマを開始することにより、コンポーネントキャリアｃｃ＃２のアクティベーション期間を延長しても良い。競合解決タイマは、スケジュール送信メッセージの送信後にコンテンション解決メッセージを受信するためにＵＥがＰＣＤＤＨをモニタ可能な連続するサブフレームの数を表している。一方、ＵＥは、上記延長タイマ／ディアクティベーションタイマの開始／リスタートにより、コンポーネントキャリアｃｃ＃２のアクティベーション期間を延長しても良い。
【００８１】
さらに、図１６を参照されたい。図１６から、コンテンション型のランダムアクセスが、コンポーネントキャリアｃｃ＃１においては実行され得るが、コンポーネントキャリアｃｃ＃２においては実行され得ないことがわかる。しかしながら、コンテンション解決メッセージは、任意のアクティベートされたコンポーネントキャリア（例えば、コンポーネントキャリアｃｃ＃２）において、送信され得る。それゆえ、コンポーネントキャリアｃｃ＃２をディアクティベートする前に、ＵＥがコンテンション解決メッセージを受信しない場合、ＵＥは、競合解決タイマ／延長タイマ／ディアクティベーションタイマの開始／リスタートによってコンポーネントキャリアｃｃ＃２のアクティベーション期間を延長することにより、ランダムアクセス手順を完了するためのコンテンション解決メッセージを受信することができる。
【００８２】
コンテンション型のランダムアクセス手順の代わりに、処理１４０は、非コンテンション型のランダムアクセス手順を採用しても良い。図１７を参照されたい。図１７は、非コンテンション型のランダムアクセス手順の概要図である。ＵＥは、コンポーネントキャリアｃｃ＃２における非コンテンション型のランダムアクセス手順を実行する。そして、ＵＥは、コンポーネントキャリアｃｃ＃２をディアクティベートする前に、非コンテンション型のランダムアクセス手順のランダムアクセス応答メッセージを受信しない。この場合、ＵＥは、競合解決タイマ/延長タイマ/ディアクティベーションタイマの再開または開始することにより、コンポーネントキャリアｃｃ＃２のアクティベーション状態を維持する。詳細な説明はこれまでの記載から参照できるので、ここでは言及しない。さらに、非コンテンション型のランダムアクセス手順は、ダウンリンク／アップリンクデータが到着した時に実行されても良い。したがって、ＵＥは、ランダムアクセス応答メッセージが受信されるまで、尚且つ／または、新たな送信指示が受信されるまで、コンポーネントキャリアｃｃ＃２のアクティベーション状態を維持しても良い。
【００８３】
一方、非コンテンション型のランダムアクセス手順は、コンポーネントキャリアｃｃ＃１および／またはｃｃ＃２において実行されても良い。図１８を見るとわかるように、コンポーネントキャリアｃｃ＃１においては、ランダムアクセスプリアンブル割り当て（random access preamble assignment）が送信されているのに対し、コンポーネントキャリアｃｃ＃２においては、ランダムアクセスプリアンブルメッセージ（random access preamble message）およびランダムアクセス応答メッセージ（random access response message）が送信されている。それゆえ、ＵＥは、たとえ他のコンポーネントキャリア（例えば、コンポーネントキャリアｃｃ＃１）において非コンテンション型のランダムアクセス手順が実行中であるとしても、コンポーネントキャリアｃｃ＃２のアクティベーション期間を延長し得る。
【００８４】
処理１４０は、（例えば、ディアクティベーションコマンドの受信、または、ディアクティベーションタイマの満了によって）コンポーネントキャリアをディアクティベートする前に、ランダムアクセス手順が終了されなかった状況における、ハンドル方法が明確に示されている。ＵＥは、ランダムアクセス手順を完了するように、コンポーネントキャリアのアクティベーション期間を延長する。
【００８５】
図１９を参照されたい。図１９は、典型的な処理１９０を示すフローチャートである。
【００８６】
処理１９０は、ＵＥおよび／またはネットワークにおいて、コンポーネントキャリアのアクティベーションおよびディアクティベーションをハンドリングするために利用される。処理１９０は、プログラムコード２１４へとコンパイルされる。
【００８７】
処理１９０は、以下の各ステップを含む。
ステップ１９００：開始。
ステップ１９１０：複数のコンポーネントキャリアのうちの一のコンポーネントキャリアがアクティベートされた時、そのコンポーネントキャリアのためのディアクティベーションタイマを開始する。
ステップ１９２０：上記複数のコンポーネントキャリアのうちの第１のコンポーネントキャリアに設定されるＰＤＣＣＨ（Physical Downlink Control Channel）割り当てを、コンポーネントキャリアにおいて受信する。
ステップ１９３０：コンポーネントキャリアがディアクティベートされることが予定された時に、第１のコンポーネントキャリアのためのＰＤＣＣＨ割り当てを受信するためのコンポーネントキャリアのアクティベーション期間を延長する。
ステップ１９４０：終了。
【００８８】
処理１９０によれば、ＵＥは、コンポーネントキャリア（これ以降、“クロスコンポーネントキャリア・スケジューリング”と呼ばれる）において、第１のコンポーネントキャリアのためのＰＤＣＣＨを受信する。なお、第１のコンポーネントキャリアおよび上記コンポーネントキャリアは同一のコンポーネントキャリアであっても良い。ＵＥは、（例えば、ディアクティベーションコマンドの受信、または、ディアクティベーションタイマの満了によって）コンポーネントキャリアがディアクティベートされることが予定された時点でＰＤＣＣＨが受信されるコンポーネントキャリアのアクティベーション期間を延長することにより、第１のコンポーネントキャリアのためのＰＤＣＣＨを受信する。
【００８９】
処理１９０に基づく例を挙げる。図２０を参照されたい。図２０は、一実施形態に係るコンポーネントキャリアのアクティベーション−ディアクティベーション期間を示す図である。コンポーネントキャリアｃｃ＃２において、コンポーネントキャリアｃｃ＃３のためのＰＤＣＣＨが送信されたと仮定する。ＵＥは、（例えば、ディアクティベーションコマンドの受信、または、ディアクティベーションタイマの満了によって）コンポーネントキャリアｃｃ＃２がディアクティベートされると予定された場合にコンポーネントキャリアｃｃ＃２のアクティベーション状態を維持することにより、コンポーネントキャリアｃｃ＃３のためのＰＤＣＣＨを受信する。さらに、コンポーネントキャリアｃｃ＃２をアクティベートするための方法はいくつかある。第１の方法においては、コンポーネントキャリアｃｃ＃３がアクティベートされている間、ＵＥは、コンポーネントキャリアｃｃ＃２のアクティベーション状態を維持する。第２の方法においては、コンポーネントキャリアｃｃ＃３のディアクティベーションタイマが開始またはリスタートされた場合、ＵＥは、コンポーネントキャリアｃｃ＃２のディアクティベーションタイマを開始またはリスタートする。第３の方法においては、コンポーネントキャリアｃｃ＃３の延長タイマが開始またはリスタートされた場合、ＵＥは、コンポーネントキャリアｃｃ＃２の延長タイマを開始またはリスタートする。一方、ＵＥは、ディアクティベーションタイマ／延長タイマが開始またはリスタートされるときはいつでも、禁止タイマを開始して良い。そして、ＵＥは、上記いずれかの方法を実行することにより、アクティベーション期間を延長する。
【００９０】
図２１を参照されたい。図２１は、処理２１０の一例を示すフローチャートである。処理２１０は、ＵＥおよび／またはネットワークにおいて、コンポーネントキャリアのアクティベーションおよびディアクティベーションをハンドリングするために利用される。処理２１０は、プログラムコード２１４へとコンパイルされる。
【００９１】
処理２１０は、以下の各ステップを含む。
ステップ２１１０：開始。
ステップ２１２０： 複数のコンポーネントキャリアのうちの一のコンポーネントキャリアがアクティベートされた時にそのコンポーネントキャリアのためのディアクティベーションタイマを開始する。
ステップ２１３０：上記コンポーネントキャリアにおけるＰＤＳＣＨ（physical downlink shared channel）またはＰＤＣＣＨ（Physical Downlink Control Channel）を受信する。
ステップ２１４０：上記コンポーネントキャリアをディアクティベートする時点でＰＤＣＣＨまたはＰＤＳＣＨ割り当てに対応する次の送信が完了しなかった場合に、上記コンポーネントキャリアのアクティベーション期間を延長する。
ステップ２１５０：終了。
【００９２】
処理２１００によれば、ＵＥがコンポーネントキャリアにおけるＰＤＣＣＨ/ＰＤＳＣＨを受信した場合、そのことが、次の送信があることを示すようになっている。それゆえ、ＵＥは、（例えば、ディアクティベーションコマンドの受信、または、ディアクティベーションタイマの満了によって）コンポーネントキャリアをディアクティベートする時点で次の送信が完了しなかった場合、コンポーネントキャリアのアクティベーション期間を延長することにより、データ送信を完了する。
【００９３】
上記処理２１０に基づく例を挙げる。図２２Ａ〜図２２Ｃを参照されたい。図２２Ａにおいて、ＵＥは、コンポーネントキャリアｃｃ＃２がアクティベートされた時にディアクティベーションタイマを開始する。そして、ＵＥは、コンポーネントキャリアｃｃ＃２におけるＰＤＣＣＨ／ＰＤＳＣＨを受信する。しかしながら、ＵＥは、（例えば、ディアクティベーションコマンドの受信、または、ディアクティベーションタイマの満了によって）コンポーネントキャリアをディアクティベートする前に、コンポーネントキャリアｃｃ＃２における次の送信（例えば、新たなダウンリンク／アップリンク送信）を完了しなくても良い。この場合、ＵＥは、次の送信が実行されるように、コンポーネントキャリアｃｃ＃２のアクティベーション期間を延長するためのディアクティベーションタイマ／延長タイマをリスタート／開始する。一方、ＵＥは、ディアクティベーションタイマ／延長タイマが開始またはリスタートされた場合、コンポーネントキャリアｃｃ＃２のための禁止タイマを開始しても良い。それにより、ＵＥは、禁止タイマが満了した時にコンポーネントキャリアｃｃ＃２のためのディアクティベーションタイマ／延長タイマを再開／リスタートすることにより、タイマの不要な開始またはリスタートを防止してもよい。
【００９４】
なお、処理４０、７０、９０、１００、１２０、１４０、１９０、および２１００のいずれにおいても、ネットワーク（すなわち、ｅＮＢ）は、コンポーネントキャリアをディアクティベートするための信号（例えば、ＰＨＹ、ＭＡＣ制御信号、またはＲＲＣメッセージ）をＵＥへ送信しても良い。それにより、ＵＥまたはｅＮＢは、以下各ステップの少なくとも１つを実行しても良い。
１．対応するコンポーネントキャリアのディアクティベーションタイマを停止する。
２．対応するコンポーネントキャリアの延長タイマを停止する。
３．対応するコンポーネントキャリアのＨＡＲＱバッファをフラッシュする。
４．対応するコンポーネントキャリアにおける物理アップリンク制御チャンネル（ＰＵＣＣＨ）を解放する。
５．対応するコンポーネントキャリアにおけるＳＲＳ（Sounding Reference Signal）を停止および／または解放する。
６．対応するコンポーネントキャリアにおける任意の設定されているダウンリンク割り当ておよびアップリンクグラントをクリアする。
７．コンポーネントキャリアのＣＱＩ／ＰＭＩ／ＲＩレポーティングを停止する。
８．コンポーネントキャリアのＰＤＣＣＨモニタリングを停止する。
【００９５】
したがって、コンポーネントキャリアをディアクティベートする方法が明確に示されている。
【００９６】
結論として、本発明は、ＵＥの能力を高めるような、コンポーネントキャリアのアクティベーションおよびディアクティベーションのための方法および装置を提供する。
【００９７】
当業者であれば、本発明の教示内容を維持しながら上記装置および上記方法に対して様々な変更または改変を加えることができることにたやすく気付くだろう。
【００９８】
それゆえ、上記説明は、添付された特許請求の範囲のみによって制限されると解釈されるべきである。
【００９９】
本出願は、米国特許仮出願第６１／３２０，４８６号（出願日：２０１０年４月２日、発明の名称：マルチキャリアシステムにおけるコンポーネントキャリアの暗黙的なディアクティベーション（“Methods and Systems for Implicit Deactivation of Component Carriers in Multiple Carrier Systems”））に基づく優先権主張を伴う。上記米国仮出願の内容は、その全体が参照により本明細書に組み込まれているものとする。
【図１】
2011223575.tif 000003
【図２】
2011223575.tif 000004
【図３】
2011223575.tif 000005
【図４】
2011223575.tif 000006
【図５Ａ】
2011223575.tif 000007
【図５Ｂ】
2011223575.tif 000008
【図５Ｃ】
2011223575.tif 000009
【図６Ａ】
2011223575.tif 000010
【図６Ｂ】
2011223575.tif 000011
【図６Ｃ】
2011223575.tif 000012
【図６Ｄ】
2011223575.tif 000013
【図７】
2011223575.tif 000014
【図８】
2011223575.tif 000015
【図９】
2011223575.tif 000016
【図１０】
2011223575.tif 000017
【図１１】
2011223575.tif 000018
【図１２】
2011223575.tif 000019
【図１３】
2011223575.tif 000020
【図１４】
2011223575.tif 000021
【図１５】
2011223575.tif 000022
【図１６】
2011223575.tif 000023
【図１７】
2011223575.tif 000024
【図１８】
2011223575.tif 000025
【図１９】
2011223575.tif 000026
【図２０】
2011223575.tif 000027
【図２１】
2011223575.tif 000028
【図２２Ａ】
2011223575.tif 000029
【図２２Ｂ】
2011223575.tif 000030
【図２２Ｃ】
2011223575.tif 000031
【外国語明細書】
2011223575000001.pdf